(57)【特許請求の範囲】
【請求項１】
無線通信システム内のフェムトノードによって送信される干渉信号を避ける方法であって、
第１のトランシーバと、第１の領域内に無線通信サービスエリアを提供するように構成された基地局との間に通信リンクを確立することと、
前記第１のトランシーバとは異なる少なくとも第２のトランシーバに対して、前記第１の領域より小さい第２の領域内の無線通信サービスエリアを提供するように構成された前記フェムトノードによって生成されたフェムト信号を、前記第１のトランシーバによって検出することと、
前記フェムト信号の信号強度を示す情報を識別することと、
前記フェムト信号を検出することに応じて、前記フェムトノードを識別する情報、および第１の周波数搬送波上の前記基地局への前記フェムト信号の前記信号強度を示す情報を備える第１のメッセージを送信することと、
前記第１のメッセージに応じて前記基地局から、異なる時に前記フェムトノードによって生成された追加のフェムト信号の信号強度を示す情報を有する追加のメッセージを、前記基地局にいつ送信するかを示すスケジュールを有する第２のメッセージを受信することと、
前記基地局から、前記第１の周波数搬送波上での前記基地局との通信から第２の周波数搬送波上での前記基地局との通信に切り替える命令を示す情報を有する第３のメッセージを受信することと、
前記第３のメッセージに応じて、前記第２の周波数搬送波上で前記基地局と通信することと
を備える方法。
【請求項２】
前記フェムトノードは、インターネットを介して前記基地局と通信するように構成されている、請求項１の方法。
【請求項３】
前記基地局によって生成されるマクロ信号を前記第１のトランシーバによって検出することと、
前記マクロ信号の信号強度を示す情報を識別することと、
前記マクロ信号を検出することに応じて前記基地局に、前記マクロ信号の前記信号強度を示す前記情報を備える第４のメッセージを送信することと
をさらに備える、請求項１の方法。
【請求項４】
前記基地局は、前記マクロ信号の前記信号強度が閾値より小さい場合に、前記第３のメッセージを生成するように構成されている、請求項３の方法。
【請求項５】
前記基地局は、前記フェムト信号の前記信号強度が閾値を超える場合に、前記第３のメッセージを生成するように構成されている、請求項１の方法。
【請求項６】
前記基地局は、前記基地局が前記第１のメッセージに基づき、前記フェムトノードを識別する場合に、前記第３のメッセージを生成するように構成されている、請求項１の方法。
【請求項７】
少なくとも部分的に前記フェムト信号に基づいて、前記フェムトノードの存在を識別することをさらに備える、請求項１の方法。
【請求項８】
前記フェムト信号は第１の擬似雑音オフセットを備えており、
前記フェムトノードの前記存在を識別することは、前記第１の擬似雑音オフセットが、前記フェムトノードおよび／または１つまたは複数の追加のフェムトノードによる使用に割り当てられる擬似雑音オフセットの組に属しているかどうかを判断することを備えている、請求項７の方法。
【請求項９】
前記フェムトノードによって生成される追加のフェムト信号を前記第１のトランシーバによって周期的に検出することと、
前記追加のフェムト信号の前記信号強度を示す情報を周期的に識別することと、
前記フェムトノードを識別する情報、および前記追加のフェムト信号の前記信号強度の少なくとも１つを示す前記情報をそれぞれ備える追加のメッセージを、前記追加のフェムト信号を検出することに応じて前記第１の周波数搬送波上で前記基地局に周期的に送信することと
をさらに備え、
前記基地局は、前記追加のフェムト信号の前記信号強度の少なくとも１つが閾値を超える場合に、前記第３のメッセージを生成するように構成されている、請求項１の方法。
【請求項１０】
前記第１の周波数搬送波は、少なくとも前記第１の周波数搬送波の帯域幅だけ、前記第２の周波数搬送波から隔てられている、請求項１の方法。
【請求項１１】
前記フェムト信号の前記信号強度を示す前記情報は、信号対雑音比を備えている、請求項１の方法。
【請求項１２】
第１の領域内に無線通信サービスエリアを提供するように構成された基地局と通信するように構成されたトランシーバと、
前記第１の領域より小さい第２の領域内に無線通信サービスエリアを提供するように構成されたフェムトノードによって生成されたフェムト信号を検出し、
前記フェムト信号の信号強度を示す情報を識別するように構成された信号検出器と、
前記フェムトノードを識別する情報、および前記フェムト信号の前記信号強度を示す前記情報を備える第１のメッセージを、前記フェムト信号を検出することに応じて生成するように構成されたメッセージジェネレータと、
前記基地局から、前記第１の周波数搬送波上での前記基地局との通信から第２の周波数搬送波上での前記基地局との通信に切り替える命令を示す情報を有する第３のメッセージを受信するように構成されたハンドオフコントローラと
を備え、
前記トランシーバはさらに、第１の周波数搬送波上で前記基地局に前記第１のメッセージを送信し、かつ前記第１のメッセージに応じて前記基地局から、異なる時に前記フェムトノードによって生成された追加のフェムト信号の信号強度を示す情報を有する追加のメッセージを、前記基地局にいつ送信するかを示すスケジュールを有する第２のメッセージを受信するように構成され、
前記トランシーバはさらに、前記第３のメッセージに応じて前記第２の周波数搬送波上で前記基地局と通信するように構成されている、無線通信装置。
【請求項１３】
前記フェムトノードは、インターネットを介して前記基地局と通信するように構成されている、請求項１２の装置。
【請求項１４】
前記信号検出器はさらに、前記基地局によって生成されたマクロ信号を検出し、前記マクロ信号の信号強度を示す情報を識別するように構成されており、
前記トランシーバはさらに、前記マクロ信号の前記信号強度を示す前記情報を備える第４のメッセージを、前記マクロ信号を検出することに応じて前記基地局に送信するように構成されている、請求項１２の装置。
【請求項１５】
前記基地局は、前記マクロ信号の前記信号強度が閾値より小さい場合に、前記第３のメッセージを生成するように構成されている、請求項１４の装置。
【請求項１６】
前記基地局は、前記フェムト信号の前記信号強度が閾値を超える場合に、前記第３のメッセージを生成するように構成されている、請求項１２の装置。
【請求項１７】
前記基地局は、前記基地局が前記第１のメッセージに基づき、前記フェムトノードを識別する場合に、前記第３のメッセージを生成するように構成されている、請求項１２の装置。
【請求項１８】
前記信号検出器はさらに、少なくとも部分的に前記フェムト信号に基づいて、前記フェムトノードの存在を識別するように構成されている、請求項１２の装置。
【請求項１９】
前記フェムト信号は第１の擬似雑音オフセットを備えており、
前記信号検出器はさらに、前記第１の擬似雑音オフセットが、前記フェムトノードおよび／または１つまたは複数の追加のフェムトノードによる使用に割り当てられる擬似雑音オフセットの組に属しているかどうかを判断するように構成されている、請求項１２の装置。
【請求項２０】
前記信号検出器はさらに、前記フェムトノードによって生成される追加のフェムト信号を前記第１のトランシーバによって周期的に検出し、前記追加のフェムト信号の前記信号強度を示す情報を周期的に識別するように構成されており、
前記トランシーバはさらに、前記フェムトノードを識別する情報、および前記追加のフェムト信号の前記信号強度の少なくとも１つを示す前記情報をそれぞれ備える追加のメッセージを、前記追加のフェムト信号を検出することに応じて前記第１の周波数搬送波上で前記基地局に周期的に送信するように構成されており、
前記基地局は、前記追加のフェムト信号の前記信号強度の少なくとも１つが閾値を超える場合に、前記第３のメッセージを生成するように構成されている、請求項１２の装置。
【請求項２１】
前記第１の周波数搬送波は、少なくとも前記第１の周波数搬送波の帯域幅だけ、前記第２の周波数搬送波から隔てられている、請求項１２の装置。
【請求項２２】
前記フェムト信号の前記信号強度を示す前記情報は、信号対雑音比を備えている、請求項１２の装置。
【請求項２３】
第１の領域内に無線通信サービスエリアを提供するように構成された基地局と通信する手段と、
前記第１の領域より小さい第２の領域内に無線通信サービスエリアを提供するように構成されたフェムトノードによって生成されたフェムト信号を検出する手段と、
前記フェムト信号の信号強度を示す情報を識別する手段と、
前記フェムトノードを識別する情報、および前記フェムト信号の前記信号強度を示す前記情報を備える第１のメッセージを、前記フェムト信号を検出することに応じて生成する手段と、
第１の周波数搬送波上で前記基地局に前記第１のメッセージを送信する手段と、
前記第１のメッセージに応じて、異なる時に前記フェムトノードによって生成された追加のフェムト信号の信号強度を示す情報を有する追加のメッセージを、前記基地局にいつ送信するかを示すスケジュールを有する第２のメッセージを前記基地局から受信する手段と、
前記基地局から、前記第１の周波数搬送波上での前記基地局との通信から第２の周波数搬送波上での前記基地局との通信に切り替える命令を示す情報を有する第３のメッセージを受信する手段と
を備え、
前記通信手段は、さらに前記第３のメッセージに応じて前記第２の周波数搬送波上で前記基地局と通信するように構成されている、無線通信装置。
【請求項２４】
前記フェムトノードは、インターネットを介して前記基地局と通信するように構成されている、請求項２３の装置。
【請求項２５】
前記基地局によって生成されたマクロ信号を前記第１のトランシーバによって検出する手段と、
前記マクロ信号の信号強度を示す情報を識別する手段と、
前記マクロ信号の前記信号強度を示す前記情報を備える第４のメッセージを、前記マクロ信号を検出することに応じて、前記基地局に送信する手段と
をさらに備えた、請求項２３の装置。
【請求項２６】
前記基地局は、前記マクロ信号の前記信号強度が閾値より小さい場合に、前記第３のメッセージを生成するように構成されている、請求項２５の装置。
【請求項２７】
前記基地局は、前記フェムト信号の前記信号強度が閾値を超える場合に、前記第３のメッセージを生成するように構成されている、請求項２３の装置。
【請求項２８】
前記基地局は、前記基地局が前記第１のメッセージに基づいて前記フェムトノードを識別する場合に、前記第３のメッセージを生成するように構成されている、請求項２３の装置。
【請求項２９】
少なくとも部分的に前記フェムト信号に基づいて前記フェムトノードの存在を識別する手段をさらに備えた、請求項２３の装置。
【請求項３０】
前記フェムト信号は第１の擬似雑音オフセットを備えており、前記フェムトノードの前記存在を識別するための前記手段はさらに、前記第１の擬似雑音オフセットが前記フェムトノードおよび／または１つまたは複数の追加のフェムトノードによる使用に割り当てられる１セットの擬似雑音オフセットに属しているかどうかを判断するための手段を備えている、請求項２９の装置。
【請求項３１】
前記フェムトノードによって生成される追加のフェムト信号を前記第１のトランシーバによって周期的に検出する手段と、
前記追加のフェムト信号の前記信号強度を示す情報を周期的に識別する手段と、
前記フェムトノードを識別する情報、および前記追加のフェムト信号の前記信号強度の少なくとも１つを示す前記情報をそれぞれ備える追加のメッセージを、前記追加のフェムト信号を検出することに応じて前記第１の周波数搬送波上で前記基地局に周期的に送信する手段と
をさらに備え、
前記基地局は、前記追加のフェムト信号の前記信号強度の少なくとも１つが閾値を超える場合に、前記第３のメッセージを生成するように構成されている、請求項２３の装置。
【請求項３２】
前記第１の周波数搬送波は、少なくとも前記第１の周波数搬送波の帯域幅だけ、前記第２の周波数搬送波から隔てられている、請求項２３の装置。
【請求項３３】
前記フェムト信号の前記信号強度を示す前記情報は、信号対雑音比を備えている、請求項２３の装置。
【請求項３４】
コンピュータに、第１のトランシーバと、第１の領域内に無線通信サービスエリアを提供するように構成された基地局との間に通信リンクを確立させるためのコードと、
コンピュータに、前記第１のトランシーバとは異なる少なくとも第２のトランシーバに対して、前記第１の領域より小さい第２の領域内の無線通信サービスエリアを提供するように構成された前記フェムトノードによって生成されたフェムト信号を、前記第１のトランシーバによって検出させるためのコードと、
コンピュータに、前記フェムト信号の信号強度を示す情報を識別させるためのコードと、
コンピュータに、前記フェムト信号を検出することに応じて、前記フェムトノードを識別する情報、および第１の周波数搬送波上の前記基地局への前記フェムト信号の前記信号強度を示す前記情報を備える第１のメッセージを送信させるためのコードと、
コンピュータに、前記第１のメッセージに応じて前記基地局から、異なる時に前記フェムトノードによって生成された追加のフェムト信号の信号強度を示す情報を有する追加のメッセージを、前記基地局にいつ送信するかを示すスケジュールを有する第２のメッセージを受信させるためのコードと、
コンピュータに、前記基地局から、前記第１の周波数搬送波上での前記基地局との通信から第２の周波数搬送波上での前記基地局との通信に切り替える命令を示す情報を有する第３のメッセージ受信させるためのコードと、
コンピュータに、前記第３のメッセージに応じて、前記第２の周波数搬送波上で前記基地局と通信させるためのコードと
を備えるコンピュータ読み取り可能な記憶媒体。
【請求項３５】
前記フェムトノードは、インターネットを介して前記基地局と通信するように構成されている、請求項３４のコンピュータ読み取り可能な記憶媒体。
【請求項３６】
コンピュータに、前記基地局によって生成されるマクロ信号を前記第１のトランシーバによって検出させるためのコードと、
コンピュータに、前記マクロ信号の信号強度を示す情報を識別させるためのコードと、
コンピュータに、前記マクロ信号の前記信号強度を示す前記情報を備えている第４のメッセージを、前記マクロ信号を検出することに応じて、前記基地局に送信させるためのコードと
をさらに備えている、請求項３４のコンピュータ読み取り可能な記憶媒体。
【請求項３７】
前記基地局は、前記マクロ信号の前記信号強度が閾値より小さい場合に、前記第３のメッセージを生成するように構成されている、請求項３６のコンピュータ読み取り可能な記憶媒体。
【請求項３８】
前記基地局は、前記フェムト信号の前記信号強度が閾値を超える場合に、前記第３のメッセージを生成するように構成されている、請求項３４のコンピュータ読み取り可能な記憶媒体。
【請求項３９】
前記基地局は、前記基地局が前記第１のメッセージに基づき、前記フェムトノードを識別する場合に、前記第３のメッセージを生成するように構成されている、請求項３４のコンピュータ読み取り可能な記憶媒体。
【請求項４０】
コンピュータに、少なくとも部分的に前記フェムト信号に基づいて前記フェムトノードの存在を識別させるためのコードをさらに備えている、請求項３４のコンピュータ読み取り可能な記憶媒体。
【請求項４１】
前記フェムト信号は第１の擬似雑音オフセットを備えており、
コンピュータに前記フェムトノードの前記存在を識別させるための前記コードは、コンピュータに、前記第１の擬似雑音オフセットが前記フェムトノードおよび／または１つまたは複数の追加のフェムトノードによる使用に割り当てられる擬似雑音オフセットの組に属しているかどうかを判断させるためのコードを備えている、請求項４０のコンピュータ読み取り可能な記憶媒体。
【請求項４２】
コンピュータに、前記フェムトノードによって生成される追加のフェムト信号を前記第１のトランシーバによって周期的に検出させるためのコードと、
コンピュータに、前記追加のフェムト信号の前記信号強度を示す情報を周期的に識別させるためのコードと、
コンピュータに、前記フェムトノードを識別する情報、および前記追加のフェムト信号の前記信号強度の少なくとも１つを示す前記情報をそれぞれ備える追加のメッセージを、前記追加のフェムト信号を検出することに応じて前記第１の周波数搬送波上で前記基地局に周期的に送信させるためのコードと
をさらに備え、
前記基地局は、前記追加のフェムト信号の前記信号強度の少なくとも１つが閾値を超える場合に、前記第３のメッセージを生成するように構成されている、請求項３４のコンピュータ読み取り可能な記憶媒体。
【請求項４３】
前記第１の周波数搬送波は、少なくとも前記第１の周波数搬送波の帯域幅だけ、前記第２の周波数搬送波から隔てられている、請求項３４のコンピュータ読み取り可能な記憶媒体。
【請求項４４】
前記フェムト信号の前記信号強度を示す前記情報は、信号対雑音比を備えている、請求項３４のコンピュータ読み取り可能な記憶媒体。
【発明の詳細な説明】
【優先権の主張】
【０００１】
本出願は、参照によってその内容全体が本明細書に組み込まれる、２００８年７月１５日出願の米国仮特許出願第６１／０８０，９８４号の利益を主張する。
【技術分野】
【０００２】
本出願は、概して無線通信に関し、より詳細にはフェムト局からの干渉を避けるシステムおよび方法に関する。
【背景技術】
【０００３】
無線通信システムは、多数のユーザに様々なタイプの通信（例えば、音声、データ、マルチメディアサービスなど）を提供するために幅広く展開されている。高速およびマルチメディアデータサービスに対する需要が急速に増大しているので、高度の性能を備えた効率的なロバスト通信システムを実施するための問題がある。
【０００４】
現在定着している携帯電話ネットワークに加えて、ユーザの家に設置することができ、既存の広帯域インターネット接続を使用して携帯ユニットに室内無線サービスエリア与えることができる、新しい種類の小さな基地局が出現した。このような個人用小型基地局は普通、自宅用アクセスポイント基地局、あるいはホームノードＢ（ＨＮＢ）またはフェムトノードとして知られている。典型的には、このような小型基地局は、ＤＳＬルータまたはケーブルモデムを介してインターネットおよび携帯電話オペレータのネットワークに接続されている。しかし、これらのフェムトノードは、従来のより大きな基地局と携帯電話などの携帯デバイスの間の通信を干渉する可能性がある。フェムトノードが干渉を最小限に抑えるように通信する方法を調節することが望ましいことがある。
【発明の概要】
【０００５】
本発明のシステム、方法およびデバイスはそれぞれ、その望ましい属性に単に関与するものではないいくつかの態様を有する。以下の特許請求の範囲によって示されるような本発明の範囲に限ることなく、次にいくつかの特性を簡単に論じる。本議論を考えた後に、特に「好ましい実施形態の説明」という部分を読んだ後に、本発明の特徴がどのように、多数のエアインターフェイス上に同時通信を含む利点を提供するのか分かるだろう。
【０００６】
開示の一実施形態は、無線通信システム内のフェムトノードによって送信される干渉信号を避ける方法を提供する。この方法は、第１のトランシーバと基地局の間の通信リンクを確立することを備えている。基地局は、第１の領域内の無線通信サービスエリアを提供するように構成されている。この方法はさらに、フェムトノードによって生成されたフェムト信号を第１のトランシーバによって検出することを備えている。フェムトノードは、少なくとも第２のトランシーバに第２の領域内の無線通信サービスエリアを提供するように構成されている。第２のトランシーバは、第１のトランシーバと異なる。第２の領域は、第１の領域より小さい。この方法はさらに、フェムト信号の信号強度を示す情報を識別することを備えている。この方法はさらに、フェムト信号を検出することに応じて第１のメッセージを送信することを備えており、第１のメッセージはフェムトノードを識別する情報、および第１の周波数搬送波上の基地局へのフェムト信号の信号強度を示す情報を備えている。この方法はさらに、基地局から第２のメッセージを受信することを備えている。第２のメッセージは、第２の搬送波周波数の上で通信する命令を示す情報を備えている。この方法はさらに、第２のメッセージに応じて、第２の周波数搬送波上で基地局と通信することを備えている。
【０００７】
開示の別の実施形態は、基地局と通信するように構成されたトランシーバを備えた無線通信装置を提供する。基地局は、第１の領域内に無線通信サービスエリアを提供するように構成されている。装置はさらに、フェムトノードによって生成されるフェムト信号を検出するように構成された信号検出器を備えている。フェムトノードは、第２の領域内に無線通信サービスエリアを提供するように構成されている。第２の領域は、第１の領域より小さい。信号検出器はさらに、フェムト信号の信号強度を示す情報を識別するように構成されている。装置はさらに、フェムト信号の検出に応じて、第１のメッセージを生成するように構成されたメッセージジェネレータを備えている。第１のメッセージは、フェムトノードを識別する情報、およびフェムト信号の信号強度を示す情報を備えている。トランシーバはさらに、第１の周波数搬送波上で基地局に第１のメッセージを送信するように構成されている。装置はさらに、基地局から第２のメッセージを受信するように構成されたハンドオフコントローラを備えている。第２のメッセージは、第２の搬送波周波数上で通信する命令を示す情報を備えている。トランシーバはさらに、第２のメッセージに応じて第２の周波数搬送波上で基地局と通信するように構成されている。
【０００８】
開示のさらに別の実施形態は、基地局と通信する手段を備えた無線通信装置を提供する。基地局は、第１の領域内に無線通信サービスエリアを提供するように構成されている。装置はさらに、フェムトノードによって生成されたフェムト信号を検出する手段を備えている。フェムトノードは、第２の領域内に無線通信サービスエリアを提供するように構成されている。第２の領域は第１の領域より小さい。装置はさらに、フェムト信号の信号強度を示す情報を識別する手段を備えている。装置はさらに、フェムト信号の検出に応じて第１のメッセージを生成する手段を備えている。第１のメッセージは、フェムトノードを識別する情報、およびフェムト信号の信号強度を示す情報を備えている。装置はさらに、第１の周波数搬送波上で基地局に第１のメッセージを送信する手段を備えている。装置はさらに、基地局から第２のメッセージを受信する手段を備えている。第２のメッセージは、第２の搬送波周波数上で通信する命令を示す情報を備えている。通信手段はさらに、第２のメッセージに応じて第２の周波数搬送波上で基地局と通信するように構成されている。
【０００９】
開示のさらに別の実施形態は、コンピュータ読み取り可能な媒体を備えたコンピュータプログラム製品を提供する。コンピュータ読み取り可能な媒体は、コンピュータに第１のトランシーバと基地局の間に通信リンクを確立させるコードを備えている。基地局は、第１の領域内に無線通信サービスエリアを提供するように構成されている。コンピュータ読み取り可能な媒体はさらに、コンピュータにフェムトノードによって生成されるフェムト信号を第１のトランシーバによって検出させるコードを備えている。フェムトノードは、第１のトランシーバとは異なる少なくとも第２のトランシーバに第２の領域内の無線通信機サービスエリアを提供するように構成されている。第２の領域は第１の領域より小さい。コンピュータ読み取り可能な媒体はさらに、コンピュータにフェムト信号の信号強度を示す情報を識別させるコードを備えている。コンピュータ読み取り可能な媒体はさらに、コンピュータにフェムト信号の検出に応じて第１のメッセージを送信させるコードを備えており、第１のメッセージは、フェムトノードを識別する情報、および第１の周波数搬送波上の基地局へのフェムト信号の信号強度を示す情報を備えている。コンピュータ読み取り可能な媒体はさらに、コンピュータに基地局から第２のメッセージを受信させるコードを備えている。第２のメッセージは、第２の搬送波周波数上で通信する命令を示す情報を備えている。コンピュータ読み取り可能な媒体はさらに、コンピュータに第２のメッセージに応じて第２の周波数搬送波上で基地局と通信させるコードを備えている。
【図面の簡単な説明】
【００１０】
【図１】例示的な無線通信網を示す図。
【図２】２つ以上の通信網の例示的な相互動作を示す図。
【図３】図２に示す例示的なフェムトノードの機能ブロック図。
【図４】図２に示す例示的なアクセス端末の機能ブロック図。
【図５】図２に示す例示的なマクロノードの機能ブロック図。
【図６】図２のマクロノードおよびフェムトノードを備えた例示的な無線通信システムを示す図。
【図７】図２のフェムトノードによって生じる干渉を監視する第１の例示的な処理のフローチャート。
【図８】図２のフェムトノードによって生じる干渉を監視する第２の例示的な処理のフローチャート。
【図９】例えば図１および２に示すような無線通信網用の例示的なカバーエリアを示す図。
【図１０】図２に示す別の例示的ノードおよび別の例示的アクセス端末の機能ブロック図。
【図１１】図２に示すさらに別の例示的アクセス端末の機能ブロック図。
【図１２】図２に示すさらに別の例示的マクロノードの機能ブロック図。
【発明を実施するための形態】
【００１１】
「例示的」という語は本明細書では、「実施例、例または例示として働く」ということを意味するために使用される。「例示的」として本明細書に記載されたあらゆる実施形態は必ずしも、他の実施形態を凌いで好ましいまたは利点があるとして解釈されるべきものではない。本明細書に記載された技術は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、単一搬送波ＦＤＭＡ（ＳＣ−ＦＤＭＡ）ネットワークなどの様々な無線通信網に使用することができる。「ネットワーク」および「システム」という用語はしばしば、置き換え可能に使用される。ＣＤＭＡネットワークは、ユニバーサル地上波無線アクセス（ＵＴＲＡ）、ｃｄｍａ２０００（登録商標）などの無線技術を実施することができる。ＵＴＲＡは、広帯域ＣＤＭＡ（Ｗ−ＣＤＭＡ）および低チップレート（ＬＣＲ）を含んでいる。ｃｄｍａ２０００は、ＩＳ−２０００、ＩＳ−９５およびＩＳ−８５６標準をカバーしている。ＴＤＭＡネットワークは、モバイル通信用グローバルシステム（ＧＳＭ（登録商標））などの無線技術を実施することができる。ＯＦＤＭＡネットワークは、次世代ＵＴＲＡ（Ｅ−ＵＴＲＡ）、ＩＥＥＥ８０２．１１、ＩＥＥＥ８０２．１６、ＩＥＥＥ８０２．２０、フラッシュＯＦＤＭＡなどの無線技術を実施することができる。ＵＴＲＡ、Ｅ−ＵＴＲＡ、およびＧＳＭは、ユニバーサル移動体通信システム（ＵＭＴＳ）の一部である。ロングタームエボリューション（ＬＴＥ）は、Ｅ−ＵＴＲＡを使用するＵＭＴＳのまもなく来るリリースである。ＵＴＲＡ、Ｅ−ＵＴＲＡ、ＧＳＭ、ＵＭＴＳおよびＬＴＥは、「第３世代パートナーシッププロジェクト」（３ＧＰＰ）という名称の組織による文献に記載されている。ｃｄｍａ２０００は、「第３世代パートナーシッププロジェクト２」（３ＧＰＰ２）という名称の組織による文献に記載されている。これらの様々な無線技術および標準は、当技術分野で知られている。
【００１２】
単一搬送波変調および周波数ドメイン等化を利用する単一搬送波周波数分割多元接続（ＳＣ−ＦＤＭＡ）は、１つの技術である。ＳＣ−ＦＤＭＡは、ＯＦＤＭＡシステムのものと同様の性能、および基本的に同じ総合複雑性を有する。ＳＣ−ＦＤＭＡ信号は、その固有の単一搬送波構造により、より低いピーク対平均電力比（ＰＡＰＲ）を有する。ＳＣ−ＦＤＭＡは、より低いＰＡＰＲが伝達電力効率に関して移動端末に大きな利益を与えるアップリンク通信で特に、大きく注目されている。これは現時点では、３ＧＰＰロングタームエボリューション（ＬＴＥ）、または次世代ＵＴＲＡ内でのアップリンク多重アクセススキームの作業仮説である。
【００１３】
いくつかの態様では、本明細書の教示は、マクロ規模のサービスエリア（例えば、典型的にはマクロセルネットワークと呼ばれる、３Ｇネットワークなどの大きなエリアの携帯電話ネットワーク）、およびより小さい規模のサービスエリア（例えば、住宅ベースまたは建物ベースのネットワーク環境）を含むネットワークで利用することができる。アクセス端末（「ＡＴ」）がこのようなネットワークを通して移動すると、アクセス端末はマクロサービスエリアを提供するアクセスノード（「ＡＮ」）によって特定の位置でサービスを提供されることができ、アクセス端末はより小さい規模のサービスエリアを与えるアクセスノードによって他の位置でサービスを提供されることができる。いくつかの態様では、より小さいサービスエリアノードは、ますます増加する容量の伸び、建物内サービスエリア、および異なるサービス（例えば、より強固なユーザ経験に対する）を提供するために使用することができる。本明細書の議論では、比較的大きな領域上にサービスエリアを与えるノードは、マクロノードと呼ぶこともできる。比較的小さい領域（例えば、住宅）上にサービスエリアを提供するノードは、フェムトノードと呼ぶこともできる。マクロ領域より小さく、フェムト領域より大きい領域上にサービスエリアを提供するノードは、（例えば、商業建築物内にサービスエリアを提供する）ピコノードと呼ぶこともできる。
【００１４】
マクロノード、フェムトノード、またはピコノードに関連するセルはそれぞれ、マクロセル、フェムトセル、またはピコセルと呼ぶことができる。いくつかの実施では、各セルはさらに、１つまたは複数のセクタに関連付ける（例えば、分割する）ことができる。
【００１５】
様々な応用例では、マクロノード、フェムトノード、またはピコノードのことを言うために他の用語を使用することもできる。例えば、マクロノードは、アクセスノード、基地局、アクセスポイント、ｅＮｏｄｅＢ、マクロセルなどとして構成することができる、またはそのように呼ぶことができる。また、フェムトノードは、ホームＮｏｄｅＢ、ホームｅＮｏｄｅＢ、アクセスポイント基地局、フェムトセルなどとして構成することができる、またはそのように呼ぶことができる。
【００１６】
図１は、例示的な無線通信網１００を示している。無線通信網１００は、多くのユーザ間の通信をサポートするように構成されている。無線通信網１００は、例えばセル１０２ａ〜１０２ｇなどの１つまたは複数のセル１０２に分割することができる。セル１０２ａ〜１０２ｇ内の通信サービスエリアは、例えばノード１０４ａ〜１０４ｇなどの１つまたは複数のノード１０４によって提供することができる。各ノード１０４は、対応するセル１０２に通信サービスエリアを提供することができる。ノード１０４は、例えばＡＴ１０６ａ〜１０６ｌなどの複数のアクセスターミナル（ＡＴ）と相互作用（interact）することができる。
【００１７】
各ＡＴ１０６は、所与の瞬間に順方向リンク（ＦＬ）および／または逆方向リンク（ＲＬ）上で１つまたは複数のノード１０４と通信することができる。ＦＬは、ノードからＡＴまでの通信リンクである。ＲＬは、ＡＴからノードまでの通信リンクである。ノード１０４は、例えば適切な有線または無線インターフェイスによって相互接続することができ、互いに通信することが可能である。したがって、各ＡＴ１０６は、１つまたは複数のノード１０４を通して別のＡＴ１０６と通信することができる。例えば、ＡＴ１０６ｊは以下のようにＡＴ１０６ｈと通信することができる。ＡＴ１０６ｊはノード１０４ｄと通信することができる。ノード１０４ｄはその後、ノード１０４ｂと通信することができる。ノード１０４ｂはその後、ＡＴ１０６ｈと通信することができる。したがって、通信はＡＴ１０６ｊとＡＴ１０６ｈの間に確立される。
【００１８】
無線通信網１００は、大きな地理的領域上でサービスを提供することができる。例えば、セル１０２ａ〜１０２ｇは、近郊内では数ブロックだけ、または地方の環境では数平方マイルをカバーすることができる。一実施形態では、各セルはさらに、１つまたは複数のセクタ（図示せず）に分割することができる。
【００１９】
上に記載したように、ノード１０４は、例えばインターネットまたは携帯電話ネットワークなどの通信網へのそのサービスエリア内のアクセスをアクセス端末（ＡＴ）１０６に提供することができる。
【００２０】
ＡＴ１０６は、通信網上で音声またはデータを送受信するために、ユーザによって使用される無線通信デバイス（例えば、携帯電話、ルータ、パソコン、サーバなど）であってもよい。アクセス端末（ＡＴ）は、移動局（ＭＳ）、ユーザ装置（ＵＥ）、または端末デバイスと呼ぶこともできる。図示するように、ＡＴ１０６ａ、１０６ｈおよび１０６ｊはルータを備えている。ＡＴ１０６ｂ〜１０６ｇ、１０６ｉ、１０６ｋ、および１０６ｌは携帯電話を備えている。しかし、ＡＴ１０６ａ〜１０６ｌはそれぞれ、任意の適切な通信デバイスを備えることができる。
【００２１】
図２は、２つ以上の通信網の例示的な相互動作（interoperations）を示している。ＡＴ２２０が、ＡＴ２２１などの別のＡＴに情報を送信し、そこから情報を受信することが望ましいことがある。図２は、ＡＴ２２０がＡＴ２２１と通信することができる方法を示している。図２に示すように、マクロノード２０５は、マクロ領域２０７内のアクセス端末に通信サービスエリアを提供することができる。例えば、ＡＴ２２０は、メッセージを生成し、これをマクロノード２０５に送信することができる。メッセージは、様々なタイプの通信（例えば、音声、データ、マルチメディアサービスなど）に関連する情報を備えることができる。ＡＴ２２０は、無線リンクを介してマクロノード２０５と通信することができる。
【００２２】
マクロノード２０５はまた、通信網２５０内で動作する移動局（ＭＳＣ）２５２などのＭＳＣと通信することができる。例えば、マクロノード２０５は、ＭＳＣ２５２にＡＴ２２０から受信したメッセージを送信することができる。普通、ＭＳＣ２５２は、マクロノード２０５を介してＡＴ２２０から受信したメッセージを最初に受信することによって、ＡＴ２２０とＡＴ２２１の間での通信を容易にすることができる。ＭＳＣ２５２はその後、フェムトノードを介したＡＴ２２１への最終的な送信のために、マクロフェムトインターネットワーキング機能（ＭＦＩＦ）２５４などのＭＦＩＦにメッセージを送信することができる。マクロノード２０５およびＭＳＣ２５２は、有線リンクを介して通信することができる。例えば、直接有線リンクは、光ファイバまたはイーサネット（登録商標）リンクを含むことができる。マクロノード２０５およびＭＳＣ２５２は、同一の位置に配置する、または異なる位置に展開することができる。
【００２３】
ＭＳＣ２５２はまた、マクロフェムトインターネットワーキング機能（ＭＦＩＦ）２５４と通信することができる。普通、ＭＦＩＦ２５４は、マクロノード２０５およびＭＳＣ２５２を介してＡＴ２２０からメッセージを最初に受信することによって、２２０とＡＴ２２１の間の通信を容易にすることができる。ＭＦＩＦ２５４はその後、ＡＴ２２１への送信のためにフェムトノードにメッセージをルーティングすることができる。ＭＳＣ２５２およびＭＦＩＦ２５４は、上に記載したように直接有線リンクを介して通信することができる。ＭＳＣ２５２およびＭＦＩＦ２５４は、同一の位置に配置することができる、または異なる位置に展開することができる。
【００２４】
ＭＦＩＦ２５４はまた、インターネット２４０（および／または別の適当な広域ネットワーク）と通信することができる。普通、インターネット２４０は、マクロノード２０５、ＭＳＣ２５２、およびＭＦＩＦ２５４を介してＡＴ２２０からメッセージを最初に受信することによって、ＡＴ２２０とＡＴ２２１の間の通信を容易にすることができる。インターネット２４０はその後、ＡＴ２２１への送信のために、フェムトノード２１０などのフェムトノードにメッセージを送信することができる。ＭＦＩＦ２５４は、上に記載したように、優先または無線リンクを介してインターネット２４０と通信することができる。
【００２５】
インターネット２４０はまた、フェムトノード２１０などのフェムトノードと通信することができる。フェムトノード２１０は、フェムト領域２３０内のＡＴ２２１に対する通信カバーエリアを提供することによって、ＡＴ２２０とＡＴ２２１の間の通信を容易にすることができる。例えば、フェムトノード２１０は、マクロノード２０５、ＭＳＣ２５２、ＭＦＩＦ２５４、およびインターネット２４０を介して、ＡＴ２２０で生成されるメッセージを受信することができる。フェムトノード２１０はその後、フェムト領域２３０内でＡＴ２２１にメッセージを送信することができる。フェムトノード２１０は、無線リンクを介してＡＴ２２１と通信することができる。
【００２６】
上に記載したように、マクロノード２０５、ＭＳＣ２５２、ＭＦＩＦ２５４、インターネット２４０、およびフェムトノード２１０は、ＡＴ２２０とＡＴ２２１の間に通信リンクを形成するように相互動作することができる。例えば、ＡＴ２２０は、メッセージを生成し、これをマクロノード２０５に送信することができる。マクロノード２０５はその後、メッセージをＭＳＣ２５２に送信することができる。ＭＳＣ２５２は続いて、メッセージをＭＦＩＦ２５４に送信することができる。ＭＦＩＦ２５４はその後、メッセージをインターネット２４０に送信することができる。インターネット２４０はその後、メッセージをフェムトノード２１０ｂに送信することができる。フェムトノード２１０はその後、メッセージをＡＴ２２１に送信することができる。同様に、逆方向経路はＡＴ２２１からＡＴ２２０に続けることができる。
【００２７】
一実施形態では、フェムトノード２１０は、個別の消費者によって展開し、家庭、アパート建築物、オフィス建築物などに配置することができる。フェムトノード２１０は、所定の携帯電話伝送帯域を利用して、フェムトノード２１０の所定の範囲（例えば、１００ｍ）内でＡＴと通信することができる。一実施形態では、フェムトノード２１０は、デジタル加入者回線（ＤＳＬ、例えば非対称ＤＳＬ（ＡＤＳＬ）、高データ転送速度ＤＳＬ（ＨＤＳＬ）、超高速ＤＳＬ（ＶＤＳＬ）などを含む）、ＴＶケーブル搬送インターネットプロトコル（ＩＰ）トラフィック、広帯域過出力ライン（ＢＰＬ）接続、または他のリンクなどのインターネットプロトコル（ＩＰ）接続により、インターネット２４０と通信することができる。別の実施形態では、フェムトノード２１０は、直接リンクを介してＭＦＩＦ２５４と通信することができる。
【００２８】
フェムトノード２１０は多数のＡＴ（例えば、ＡＴ２２０、２２１）と通信するように構成されているが、消費者は自分のトラフィックだけを、フェムトノード２１０に接続されたプライベートＩＰ接続によって運びたいと望む可能性がある。例えば、消費者は、外部のＡＴによる使用よりむしろ、自分の使用のためのＩＰ帯域幅を維持したい可能性がある。したがって、フェムトノード２１０は、単一のＡＴまたはＡＴのグループとのみの通信を可能にするように構成することができる。どのＡＴとの通信を可能にするかの選択は、ユーザによって判断することができる。可能になったＡＴからフェムトノード２１０までのトラフィックはその後、消費者のＩＰ接続上でルーティングされ、他のＡＴからのトラフィックが遮断される。したがって、フェムトノード２１０は任意の互換性ＡＴと通信するように構成されているが、フェムトノード２１０は、特定の消費者、サービスプランなどに関連付けられていないＡＴを無視するようにプログラミングすることができる。
【００２９】
以下に詳細に説明する実施形態では、フェムトノード２１０とＡＴの間の通信からの無線周波数（ＲＦ）漏出により、かなりの量のＲＦ電力が、ユーザにより管理される領域（例えば、ユーザの居住地）の外側に漏出することがある。ＲＦ漏出は、フェムトノードと通信することが可能でないＡＴへ、およびそこから送信される通信信号に干渉する可能性がある。例えば、ＡＴ２２０は、マクロノード２０５での音声呼出の状態にあり、フェムトノード２１０が内側にある状態の家を通過することができる。フェムトノード２１０からのＲＦ漏出は、マクロノード２０５から受信した信号との干渉をＡＴ２２０で生じる可能性がある。いくつかの場合では、干渉はさらに呼の低下を生じさせることがある。
【００３０】
フェムトノードによるＡＴ通過（AT passing）のためにシームレスサービスを提供するために、以下に詳細に記載したシステムおよび方法のある実施形態は、顕著なＲＦ干渉がない別の周波数に相互周波数ハンドオフを与える。例えば、ＡＴ２２０は、第１の周波数チャネルｆ１上でマクロノード２０５と通信することができる。フェムトノード２１０は、ＡＴ２２０とマクロノード２０５の間の通信を干渉する可能性がある、同じ第１の周波数チャネルｆ１上の通信を伝達することができる。一実施形態では、マクロノード２０５は、相互周波数ハンドオフを行なうようにＡＴ２２０に指示することができる。相互周波数ハンドオフは、ＡＴ２２０が第１の周波数チャネル（例えば、第１の周波数チャネルｆ１）上での通信から異なる周波数チャネル（例えば、第２の周波数チャネルｆ２）上での通信に切り換わる場合である。
【００３１】
一実施形態では、フェムトノード２１０および／またはマクロノード２０５は、パイロット信号を放送することができる。パイロット信号は、ＡＴ（例えば、ＡＴ２２０）でフェムトノード２１０および／またはマクロノード２０５から受信された信号の強度を判断するための知られている参照信号を備えることができる。知られている参照信号は、信号品質を判断するために、受信した参照信号と比較することができる。フェムトノード２１０および／またはマクロノード２０５から受信した信号の強度は、Ｅcp／Ｉo比（パイロット信号のエネルギー対干渉信号のエネルギー比）、または信号対雑音比を備えることができる。パイロット信号はまた、オフセット擬似雑音（ＰＮ）ショートコードを備えることができる。オフセットＰＮショートコードは、ノードおよび／またはノードタイプ（例えば、フェムトノード、マクロノード、ピコノード）を識別する数のコードまたはシーケンスを備えることができる。オフセットＰＮショートコードは、ＰＮオフセットが加えられた状態のＰＮショートコードを備えることができる。ＰＮオフセットは、ＰＮショートコードに加えられた真（true）のネットワーク同期時間からの遅延を示すことができる。一実施形態では、全てのノードは同じＰＮショートコードを使用することができる。しかし、異なるＰＮオフセットは、異なるノードに対するＰＮショートコードに加えることができる。したがって、ＰＮオフセットは、オフセットＰＮショートコードに直接相関しており、「ＰＮオフセット」および「オフセットＰＮショートコード」という用語は、本明細書では置き換え可能に使用することができる。一実施形態では、ＰＮオフセットは、パイロット信号を送信するノードのタイプ（例えば、フェムトノード、マクロノード、ピコノード）を識別するために使用することができる。例えば、特定のセットのＰＮオフセットは、フェムトノードを識別するために逆にすることができる。
【００３２】
一実施形態では、１セットのＰＮオフセットをフェムトノードによる使用のために逆にすることができる。マクロノード２０５は、ＡＴ２２０がマクロノード２０５に対するフェムトノード２１０のＰＮオフセットを報告する場合に、相互周波数ハンドオフを行なうようにＡＴ２２０に指示することができる。ＡＴ２２０は、ＰＮオフセットおよび／または１つまたは複数の受信パイロット信号の強度を備える、パイロット強度測定メッセージ（ＰＳＭＭ）（または任意の他の適切な報告機構）内の１つまたは複数の受信パイロット信号のＰＮオフセットを報告することができる。したがって、パイロットが特定のＰＮオフセットで検出されると、ＡＴ２２０および／またはマクロノード２０５は、このパイロットが制限されたアクセスを有するフェムトノード、または別の方法では、マクロノードに属するかどうかを判断することができる。さらに、ＡＴ２２０および／またはマクロノード２０５は、ＰＳＭＭに基づいて相互周波数ハンドオフをいつ行なうかを判断することができる。このようないくつかの実施形態では、相互周波数ハンドオフは、フェムトノード２１０からＡＴ２２０で受信したパイロット信号の強度が第１の閾値を超えた場合に行なうことができる。加えて、または別の方法では、相互周波数ハンドオフは、マクロノード２０５からＡＴ２２０で受信したパイロット信号の強度が第２の閾値より下である場合に行なうことができる。本明細書に記載された実施形態はＰＳＭＭに言及しているが、ＰＳＭＭ以外の他の適切な報告機構を使用することもできる。
【００３３】
一実施形態では、相互周波数ハンドオフは、ＡＴ２２０がフェムトノード２１０に知られていない外部のＡＴである場合に行なわれるだけである。このようないくつかの実施形態では、ＰＳＭＭメッセージは、フェムトノード２１０の独自の識別子をマクロノード２０５に対して示す。マクロノード２０５はその後、ＡＴ２２０がフェムトノード２１０に知られていない外部のＡＴである場合に、以下に説明するように相互周波数ハンドオフを指示することができるだけである。マクロノード２０５は、データベースにアクセスすることによって、ＡＴ２２０が登録されたＡＴであるか、または外部のＡＴであるかを判断することができる。データベースは、各フェムトノードに関連付けられたフェムトノードおよびＡＴのリストを備えることができる。一実施形態では、データベースは、例えばＭＦＩＦ２５４などの通信ネットワーク２５０に結合された１つまたは複数のコンピュータおよび／またはサーバの一部であってもよい。マクロノード２０５は、上に記載したように、ＭＳＣ２５２を介してＭＦＩＦ２５４にアクセスすることができる。
【００３４】
別の実施形態では、使用のために利用可能なＰＮオフセットの数は、地理的領域内のフェムトノードの数より少なくてもよい。したがって、ＰＮオフセット１つだけでは、フェムトノードを独自に識別するのには十分でない可能性がある。例えば、５１２個の独自のＰＮオフセットをフェムトノードによる使用に対して別に設定することができる。しかし、５１２個を超えるフェムトノードがマクロ領域２０７内に展開される可能性がある。その結果、マクロ領域２０７内の多数のフェムトノードは同じＰＮオフセットを使用することができる。
【００３５】
同じＰＮオフセットを使用して２つ以上のフェムトノード２１０の間の識別を容易にするために、フェムトノード２１０のＰＮオフセットに加えて追加の情報を使用して、フェムトノード２１０を独自に識別することができる。一例では、フェムトノード２１０は、フェムトノードまたはアクセスポイント識別メッセージ（ＡＰＩＤＭ）を生成および送信することができる。フェムトノード２１０は、ＡＰＩＤＭメッセージ内にＭＳＣ識別子（ＭＳＣ  ＩＤ）を含めることができる。ＭＳＣ  ＩＤは、フェムトノードに関連付けられた複数のＭＦＩＦの１つを示すためにフェムトノードに割り当てることができる。例えば、ＭＳＣ  ＩＤは、フェムトノード２１０にＭＦＩＦ２５４を識別するＭＳＣ  ＩＤが割り当てられたという条件で、ＭＦＩＦ２５４がフェムトノード２１０に関連付けられていることを判断するためにＭＳＣ２５２によって使用される値を備えることができる。ＭＳＣ２５２は、ＭＳＣ  ＩＤ値を特定のＭＦＩＦに関連させる、データ構造、例えばリストまたはテーブルを維持することができる。したがって、ＭＳＣ２５２がＭＳＣ  ＩＤを受信すると、ＭＳＣ２５２は情報をそのＭＳＣ  ＩＤに関連付けられたＭＦＩＦに送信すべきであることを判断することができる。ＡＰＩＤＭメッセージはまた、ＣＥＬＬ識別子（ＣＥＬＬ  ＩＤ）を備えることができる。ＣＥＬＬ  ＩＤは、特定のＭＦＩＦに関連付けられた複数のフェムトノードの間からフェムトノードを独自に識別するようにフェムトノードに割り当てることができる。例えば、ＣＥＬＬ  ＩＤは、ＭＦＩＦ２５４に関連付けられたフェムトノード２１０と他のフェムトノード（図示せず）の間でフェムトノード２１０を独自に識別するためにＭＦＩＦ２５４によって使用される値を備えることができる。ＭＦＩＦ２５４は、ＣＥＬＬ  ＩＤ値を特定のフェムトノードに関連させる、データ構造、例えばリストまたはテーブルを維持することができる。したがって、ＭＦＩＦ２５４がＣＥＬＬ  ＩＤを受信すると、ＭＦＩＦ２５４は、情報をＣＥＬＬ  ＩＤに関連付けられたフェムトノードに送信すべきであることを判断することができる。
【００３６】
以下に詳細に説明するように、ＭＳＣ  ＩＤおよびＣＥＬＬ  ＩＤの両方を含んでいるＡＰＩＤＭメッセージの使用は、ＡＴ２２０がフェムトノード、例えばフェムトノード２１０に登録されているかどうかを判断するために十分である可能性がある。例えば、ＡＴ２２０は、フェムトノード２１０のＰＮオフセットを備えているフェムトノード２１０のパイロット信号を検出することができる。しかし、フェムトノード２１０は、別のフェムトノードと同じＰＮオフセットを使用することができる。したがって、ＡＴ２２０は、マクロノード２０５にＰＮオフセットを与えることによって、そのターゲットとしてフェムトノード２１０を識別することができない可能性がある。本例では、フェムトノード２１０は、ＡＰＩＤＭメッセージ内にＭＳＣ  ＩＤおよびＣＥＬＬ  ＩＤなどの識別情報を含めるように構成することができる。ＡＴ２２０は、このＡＰＩＤＭメッセージを受信し、ＭＳＣ  ＩＤおよびＣＥＬＬ  ＩＤを抽出することができる。ＡＴ２２０はその後、ＭＳＣ  ＩＤおよびＣＥＬＬ  ＩＤをマクロノード２０５に送信することができる。別の方法では、ＡＴ２２０は、マクロノード２０５にフェムトノード２１０の検出の表示を送信することができる。マクロノード２０５はその後、ＡＴ２２０からフェムトノード２１０に関する情報を要求することによって、検出表示に応答することができる。ＡＴ２２０はその後、例えばＭＳＣ  ＩＤおよびＣＥＬＬ  ＩＤを含む識別情報をマクロノード２０５に送信することができる。いずれの場合でも、マクロノード２０５はその後、ＭＳＣ  ＩＤおよびＣＥＬＬ  ＩＤをＭＳＣ２５２に送信することができる。ＭＳＣ２５２は、ＣＥＬＬ  ＩＤをＭＦＩＦ２５４に通過させるべきであると判断するためにＭＳＣ  ＩＤを利用することができる。ＭＳＣ２５２はその後、ＣＥＬＬ  ＩＤをＭＦＩＦ２５４に送信することができる。ＭＦＩＦ２５４は、検出したフェムトノードとしてフェムトノード２１０を識別するためにＣＥＬＬ  ＩＤを利用することができる。フェムトノード２１０が識別されると、ＭＦＩＦ２５４はＡＴ２２０がフェムトノード２１０に登録されているかどうかを判断することができる。例えば、マクロノード２０５から生成されるメッセージは、ＭＳＣ２５２を介してＭＦＩＦ２５４に通過させることができる。メッセージは、ＡＴ２２０の識別子（例えば、電話番号）、およびフェムトノード２１０のＭＳＣ  ＩＤおよびＣＥＬＬ  ＩＤを備えることができる。ＭＦＩＦ２５４は、ＡＴ２２０がフェムトノード２１０に登録されたかどうかを判断することができる。一実施形態では、ＭＦＩＦ２５４は、フェムトノードおよび各フェムトノードに関連付けられたＡＴのリストを備えるデータベースを検索することができる。ＭＦＩＦ２５４は、別のメッセージ内のこの情報をマクロノード２０５にＭＳＣ２５２を介して転送することができる。マクロノード２０５はその後、フェムトノード２１０に提出するように、または以下に記載するプロセスにしたがって周波数を変更するようにＡＴ２２０に指示することができる。以下の実施形態では、携帯相互周波数ハンドオフを行なうための異なる選択肢がより詳細に記載されている。
【００３７】
図３は、図２に示された例示的なフェムトノード２１０の機能ブロック図である。図２に関して上に論じるように、フェムトノード２１０は、インターネット２４０を介して通信網２５０への通信アクセスをＡＴ２２０に提供することができる。ＡＴ２２０は、フェムトノード２１０のアンテナ３５０に情報を送信することができる。アンテナ３５０は、ＡＴ２２０から送信された情報を受信するように構成することができる。アンテナ３５０はさらに、トランシーバ３４０に結合させることができる。トランシーバ３４０は、ＡＴ２２０から受信した情報を復調するように構成することができる。トランシーバ３４０はさらに、トランシーバ３４０によって情報の復調を制御するように構成された通信コントローラ３３０に結合させることができる。トランシーバ３４０および通信コントローラ３３０は両方ともさらに、プロセッサ３０５に結合させることができる。プロセッサ３０５はさらに、フェムトノード２１０の他の要素の記憶、送信、および／または制御のために復調した情報を処理することができる。プロセッサ３０５はさらに、１つまたは複数のバスを介して、メモリ３１０から情報を読み取る、または情報（例えば、処理した情報）をそこに書き込むために結合させることができる。プロセッサ３０５はまた、インターネット２４０と通信するように構成されたネットワークインターフェイスコントローラ３５５に結合させることができる。したがって、処理した情報は、プロセッサ３０５から別のノードまでネットワークインターフェイスコントローラ３５５およびインターネット２４０を介して送信することができる。
【００３８】
プロセッサ３０５はまた、図２を参照して上に論じるように、ＡＴ２２０への送信のためにパイロット信号を生成するように構成されたパイロットジェネレータ３２０に結合させることができる。上に論じるように、パイロット信号は、フェムトノード２１０から受信した信号の強度を判断するために、ＡＴ２２０に対する参照信号を備えることができる。パイロットジェネレータ３２０は、パイロット信号を生成し、パイロット信号をプロセッサ３０５に送信することができる。プロセッサ３０５はその後、パイロット信号を通信コントローラ３３０およびトランシーバ３４０に送信することができる。通信コントローラ３３０およびトランシーバ３４０は、アンテナ３５０を介した無線送信のためにパイロット信号を準備することができる。パイロット信号は、フェムトノード２１０の識別子（例えば、ＰＮオフセット）で送信することができる。一実施形態では、パイロット信号は周期的に生成および／または送信し、例えばＡＴ２２０などのＡＴによって受信することができる。
【００３９】
アンテナ３５０は、１つまたは複数の周波数チャネル上でＡＴ２２０に、および／またはそこから情報を送信および／または受信するように構成することができる。情報は、音声および／またはデータのみの情報（本明細書では「情報」と呼ぶ）を備えることができる。アンテナは、１つまたは複数の物理的および／または仮想アンテナを備えることができる。
【００４０】
通信コントローラ３３０およびトランシーバ３４０は、当技術分野で知られている方法を使用して、１つまたは複数の無線規格によりアンテナ３５０を介して受信した情報を復調するように構成することができる。さらに、通信コントローラ３３０およびトランシーバ３４０は、当技術分野で知られている方法を使用して、１つまたは複数の無線規格によりアンテナ３５０を介してフェムトノード２１０から送信される情報を変調することができる。送信される情報は、プロセッサ３０５から受信することができる。
【００４１】
プロセッサ３０５は、ＡＴ２２０および／または他のＡＴ用の情報および／またはパケット（例えば、音声情報、データ情報、パイロット信号など）の部分をメモリ３１０におよびそこから読み取るおよび書き込むことができる。
【００４２】
フェムトノード２１０は、ネットワークインターフェイスコントローラ３５５を介して例えばインターネット２４０などの通信網に接続することができる。したがって、フェムトノード２１０は、図２に関して上に論じたように、通信網２５０に結合された他のノードとインターネット２４０を介して通信することができる。
【００４３】
別に説明するが、フェムトノード２１０に関して記載した機能ブロックは別の構造要素である必要がないことを理解されたい。例えば、プロセッサ３０５およびメモリ３１０は単一のチップ内に埋め込むことができる。プロセッサ３０５は加えて、または別の方法では、プロセッサレジスタなどのメモリを含むことができる。同様に、プロセッサ３０５、パイロットジェネレータ３２０、通信コントローラ３３０、およびトランシーバ３４０の２つ以上を単一のチップに埋め込むことができる。さらに、トランシーバ３４０は、送信機、受信機または両方を備えることができる。他の実施形態では、送信機および受信機は２つの別の構成部品である。
【００４４】
メモリ３１０は、異なるレベルが異なる容量およびアクセス速度を有するマルチレベル階層キャッシュを含むプロセッサキャッシュを備えることができる。メモリ３１０はまた、ランダムアクセスメモリ（ＲＡＭ）、他の揮発性記憶デバイス、または不揮発性記憶デバイスを備えることができる。記憶装置は、ハードドライブ、コンパクトディスク（ＣＤ）またはデジタルビデオディスク（ＤＶＤ）などの光ディスク、フラッシュメモリ、フロッピー（登録商標）ディスク、磁気テープ、およびジップドライブを含むことができる。
【００４５】
機能ブロックの１つまたは複数、および／またはフェムトノード２１０に関して記載した機能ブロックの１つまたは複数の組合せを、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、ディスクリートゲートもしくはトランジスタ論理、ディスクリートハードウェア構成部品、または本明細書に記載した機能を行なうように設計されたその任意の適切な組合せとして実施することができる。機能ブロックの１つまたは複数、および／またはフェムトノード２１０に関して記載された機能ブロックの１つまたは複数の組合せはまた、演算デバイスの組合せ、例えばＤＳＰおよびマイクロプロセッサの組合せ、複数のマイクロプロセッサ、ＤＳＰ通信と併せた１つもしくは複数のマイクロプロセッサ、または任意の他のこのような構成として実施することができる。
【００４６】
図４は、図２に示す例示的なアクセス端末２２０の機能ブロック図である。図２に関して上に論じたように、ＡＴ２２０は通信網２５０にアクセスするために使用することができる。ＡＴ２２０は、フェムトノード２１０および／またはマクロノード２０５を介して通信網２５０にアクセスすることができる。ＡＴ２２０は、フェムトノード２１０および／またはマクロノード２０５および通信網２５０を介して他のＡＴに情報を送信および／または受信することができる。
【００４７】
ＡＴ２２０は、ＡＴ２２０の他の要素の記憶、送信および／または制御のために情報を処理するように構成されたプロセッサ４０５を備えることができる。プロセッサ４０５はさらに、１つまたは複数のバスを介して、メモリ４１０から情報を読み取る、または情報（例えば、処理した情報）をそこに書き込むために結合させることができる。例えば、ＡＴ２２０は通信網２５０を介して送信される情報を処理することができる。プロセッサ４０５はまた、送信される情報を変調するように構成されたトランシーバ４４０に結合させることができる。トランシーバ４４０はさらに、トランシーバ４４０によって情報の変調を制御するように構成された通信コントローラ４３０に結合させることができる。トランシーバはさらに、フェムトノード２１０および／またはマクロノード２０５にＡＴ２２０から情報を送信するように構成されたアンテナ４５０に結合させることができる。したがって、情報を生成し、ＡＴ２２０からフェムトノード２１０および／またはマクロノード２０５に送信することができる。同様に、ＡＴ２２０はまた、フェムトノード２１０および／またはマクロノード２０５から情報を受信することができる。
【００４８】
プロセッサ４０５はまた、パイロット検出器４２０に結合させることができる。パイロット検出器４２０は、ノード（例えば、フェムトノード２１０またはマクロノード２０５）から送信されたデータが、図２に関して上に論じたように、フェムトノードおよび／またはマクロノード２０５から送信されたパイロット信号を備えているかどうかを判断するように構成することができる。上に論じたように、パイロット信号は、送信ノードから受信した信号の強度を判断するための参照信号を備えることができる。例えば、パイロット信号はアンテナ４５０を介してＡＴ２２０で受信することができる。パイロット信号は、トランシーバ４４０によって復調することができる。通信コントローラ４３０は、トランシーバ４４０によってパイロット信号の復調を制御することができる。パイロット信号はその後、パイロット信号４０５を処理することができるプロセッサ４０５に送信することができる。プロセッサ４０５は、パイロット信号をパイロット検出器４２０に転送する。いくつかの実施形態では、パイロット検出器４２０は、受信データが実際はパイロット信号であることを判断することができる。パイロット検出器４２０はまた、図２に関して論じたように、パイロット信号のＰＮオフセットを判断することによって、パイロット信号がフェムトノードまたはいくつかの他のソースからであるか判断することができる。
【００４９】
プロセッサ４０５はさらに、メッセージジェネレータ４１５に結合させることができる。メッセージジェネレータ４１５は、図２に関して上に論じたように、ＰＳＭＭを生成するように構成することができる。上に論じたように、ＰＳＭＭは、パイロット信号を送信したノードのタイプ、および／または受信したパイロット信号の強度を識別するためにＰＮオフセットを備えることができる。例えば、プロセッサ４０５は、パイロット検出器４２０でパイロット信号がノードからであることが判断された場合に、パイロット信号をメッセージジェネレータ４１５に送信することができる。メッセージジェネレータ４１５はその後、ＰＳＭＭを生成することができる。ＰＳＭＭは、ＡＴ２２０が例えばフェムトノード２１０などのフェムトノードからパイロット信号を受信したことをマクロノード２０５に表示するために使用することができる。ＰＳＭＭはまた、フェムトノード２１０から受信したパイロット信号の強度を表示することができる。ＰＳＭＭはまた、マクロノード２０５から受信したパイロット信号の強度を表示することができる。ＰＳＭＭはその後、プロセッサ４０５に送信し、トランシーバ４４０に転送することができる。ＰＳＭＭはその後、上に論じたように、マクロノード２０５へのアンテナ４５０を介した無線送信のために通信コントローラ４３０およびトランシーバ４４０によって変調することができる。一実施形態では、ＡＴ２２０はその後、ＰＳＭＭをマクロノード２０５に送信することができ、相互周波数ハンドオフを図２に関して上に論じたように開始することができる。
【００５０】
プロセッサ４０５はまた、ハンドオフコントローラ４２５に結合させることができる。ハンドオフコントローラ４２５は、図２に関して上に論じたように、マクロノード２０５から受信した相互周波数ハンドオフを行なう要求に応答して相互周波数ハンドオフを行なうように構成することができる。例えば、ＡＴ２２０は第１の周波数ｆ１上でマクロノード２０５と通信することができる。ＡＴ２２０は、アンテナ４５０を介してマクロノード２０５から相互周波数ハンドオフを行なう要求を受信することができる。要求は、ＡＴ２２０によって送信されたＰＳＭＭに応じてマクロノード２０５によって送信することができる。要求は、アクセス端末２２０が第１の周波数ｆ１から第２の周波数ｆ２までの相互周波数ハンドオフを行なうべきであるということを示すメッセージを備えることができる。通信コントローラ４３０およびトランシーバ４４０は、相互周波数ハンドオフを行なう要求を復調し、プロセッサ４０５に要求を送信することができる。プロセッサ４０５はその後、要求を処理し、ハンドオフコントローラ４２５に転送することができる。ハンドオフコントローラ４２５は、要求に応答してその後、アクセス端末２２０に第２の周波数ｆ２上のマクロノード２０５と通信させることができる。したがって、ＡＴ２２０は相互周波数ハンドオフを行なうことができる。
【００５１】
アンテナ４５０は、１つまたは複数の周波数チャネル上でマクロノード２０５および／またはフェムトノード２１０に、および／またはそこから情報を送信および／または受信するように構成することができる。情報は、音声および／またはデータのみの情報（本明細書では「情報」と呼ぶ）を備えることができる。アンテナは、１つまたは複数の物理的および／または仮想アンテナを備えることができる。
【００５２】
通信コントローラ４３０およびトランシーバ４４０は、当技術分野で知られている方法を使用して、１つまたは複数の無線規格によりアンテナ４５０を介して受信した情報を復調するように構成することができる。さらに、通信コントローラ４３０およびトランシーバ４４０は、当技術分野で知られている方法を使用して、１つまたは複数の無線規格によりアンテナ４５０を介してＡＴ２２０から送信される情報を変調することができる。送信される情報は、プロセッサ４０５から受信することができる。
【００５３】
プロセッサ４０５は、フェムトノード２１０、マクロノード２０５および／または他のＡＴ用の情報および／またはパケット（例えば、音声情報、データ情報、ＰＳＭＭなど）の部分をメモリ４１０におよびそこから読み取るおよび書き込むことができる。
【００５４】
別に説明するが、アクセス端末２２０に関して記載した機能ブロックは別の構造要素である必要がないことを理解されたい。例えば、プロセッサ４０５およびメモリ４１０は単一のチップで実装することができる。プロセッサ４０５は加えて、または別の方法では、プロセッサレジスタなどのメモリを含むことができる。同様に、プロセッサ４０５、メッセージジェネレータ４１５、パイロット検出器４２０、ハンドオフコントローラ４２５、通信コントローラ４３０、およびトランシーバ４４０の２つ以上を単一のチップで実装することができる。さらに、トランシーバ４４０は、送信機、受信機または両方を備えることができる。他の実施形態では、送信機および受信機は２つの別の構成部品である。
【００５５】
メモリ４１０は、異なるレベルが異なる容量およびアクセス速度を有するマルチレベル階層キャッシュを含むプロセッサキャッシュを備えることができる。メモリ４１０はまた、ランダムアクセスメモリ（ＲＡＭ）、他の揮発性記憶デバイス、または不揮発性記憶デバイスを備えることができる。記憶装置は、ハードドライブ、コンパクトディスク（ＣＤ）またはデジタルビデオディスク（ＤＶＤ）などの光ディスク、フラッシュメモリ、フロッピーディスク、磁気テープ、およびジップドライブを含むことができる。
【００５６】
機能ブロックの１つまたは複数、および／またはアクセス端末２２０に関して記載した機能ブロックの１つまたは複数の組合せを、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、ディスクリートゲートもしくはトランジスタ論理、ディスクリートハードウェア構成部品、または本明細書に記載した機能を行なうように設計されたその任意の適切な組合せとして実施することができる。機能ブロックの１つまたは複数、および／またはアクセス端末２２０に関して記載された機能ブロックの１つまたは複数の組合せはまた、演算デバイスの組合せ、例えばＤＳＰおよびマイクロプロセッサの組合せ、複数のマイクロプロセッサ、ＤＳＰ通信と併せた１つもしくは複数のマイクロプロセッサ、または任意の他のこのような構成として実施することができる。
【００５７】
図５は、図２に示す例示的なマクロノード２０５の機能ブロック図である。図２に関して上に論じたように、マクロノード２０５は通信網２５０への通信アクセスをＡＴ２２０に提供することができる。ＡＴ２２０は、マクロノード２０５のアンテナ５５０に情報を送信することができる。アンテナ５５０は、ＡＴ２２０から送信される情報を受信するように構成することができる。アンテナ５５０はさらに、トランシーバ５４０に結合させることができる。トランシーバ５４０は、ＡＴ２２０から受信した情報を復調するように構成することができる。トランシーバ５４０はさらに、トランシーバ５４０によって情報の復調を制御するように構成された通信コントローラ５３０に結合させることができる。トランシーバ５４０および通信コントローラ５３０は両方ともさらに、プロセッサ５０５に結合させることができる。プロセッサ５０５はさらに、マクロノード２０５の他の要素の記憶、送信および／または制御のために復調した情報を処理することができる。プロセッサ５０５はさらに、１つまたは複数のバスを介して、メモリ５１０から情報を読み取る、または情報（例えば、処理した情報）をそこに書き込むために結合させることができる。プロセッサ５０５はまた、通信網２５０と通信するように構成されたネットワークインターフェイスコントローラ５５５に結合させることができる。したがって、処理した情報は、プロセッサ５０５から別のノードまでネットワークインターフェイスコントローラ５５５を介して送信することができる。
【００５８】
プロセッサ５０５はまた、図２を参照して上に論じるように、ＡＴ２２０への送信のためにパイロット信号を生成するように構成されたパイロットジェネレータ５１５に結合させることができる。上に論じるように、パイロット信号は、マクロノード２０５から受信した信号の強度を判断するために、ＡＴ２２０に対する参照信号を備えることができる。パイロットジェネレータ５１５は、パイロット信号を生成し、パイロット信号をプロセッサ５０５に送信することができる。プロセッサ５０５はその後、パイロット信号を通信コントローラ５３０およびトランシーバ５４０に送信することができる。通信コントローラ５３０およびトランシーバ５４０は、アンテナ５５０を介した無線送信のためにパイロット信号を準備することができる。一実施形態では、パイロット信号は周期的に生成および／または送信し、例えばＡＴ２２０などのＡＴによって受信することができる。
【００５９】
プロセッサ５０５はさらに、メッセージアナライザ５２０に結合させることができる。メッセージアナライザ５２０は、図２および４に関して上に論じたＡＴ２２０から受信したＰＳＭＭを分析するように構成することができる。例えば、ＡＴ２２０から送信されたＰＳＭＭはアンテナ５５０を介して受信することができ、通信コントローラ５３０およびトランシーバ５４０によって復調することができる。ＰＳＭＭはその後、プロセッサ５０５に送信されて、処理され、メッセージアナライザ５２０に転送させることができる。メッセージアナライザ５２０は、受信したＰＳＭＭが、アクセス端末２２０が例えばフェムトノード２１０などのフェムトノードを検出したことを示すかどうかを判断することができる。メッセージアナライザ５２０はまた、ＰＳＭＭによって示されるようなフェムトノード２１０のパイロット信号の受信強度を判断することができる。加えて、ＰＳＭＭは、マクロノード２０５から送信され、ＡＴ２２０によって受信されるパイロット信号の強度を示すことができる。したがって、メッセージアナライザ５２０は、ＰＳＭＭによって示されるようなマクロノード２０５のパイロット信号の受信強度を判断することができる。メッセージアナライザはその後、以下に論じるようなプロセスにしたがって相互周波数ハンドオフを行なうように、ハンドオフコントローラ５２５に信号を送信することができる。
【００６０】
プロセッサ５０５はまた、ハンドオフコントローラ５２５に結合させることができる。ハンドオフコントローラ５２５は、ＡＴ２２０から受信したＰＳＭＭに応答して相互周波数ハンドオフを行なうように構成することができる。例えば、マクロノード２０５は、第１の周波数ｆ１を使用してＡＴ２２０と通信することができる。マクロノード２０５はその後、ＡＴ２２０からＰＳＭＭを受信し、メッセージアナライザ５２０でＰＳＭＭを分析することができる。メッセージアナライザ５２０は、マクロノード２０５がＡＴ２２０で相互周波数ハンドオフを行なうべきであることを示すハンドオフコントローラ５２５にプロセッサ５０５を介して信号を送信することができる。信号は、メッセージアナライザ５２０によって分析されるＰＳＭＭに基づいて、図７および８に関して以下に記載する方法にしたがって生成することができる。ハンドオフコントローラ５２５は、ＡＴ２２０と通信するように第２の周波数ｆ２を選択するように構成することができる。ハンドオフコントローラ５２５はその後、アクセス端末２２０に送信される相互周波数ハンドオフを行なう要求を備えるメッセージを送信することができる。メッセージは、プロセッサ５０５を介して、通信コントローラ５３０およびトランシーバ５４０に送り、送信のために変調することができる。メッセージは、アンテナ５５０を介してＡＴ２２０に送信することができる。メッセージは、マクロノード２０５に第２の周波数ｆ２で通信するようにＡＴ２２０に示すことができる。したがって、マクロノード２０５は相互周波数ハンドオフを行なうことができる。
【００６１】
アンテナ５５０は、１つまたは複数の周波数チャネル上でＡＴ２２０に、および／またはそこから情報を送信および／または受信するように構成することができる。情報は、音声および／またはデータのみの情報（本明細書では「情報」と呼ぶ）を備えることができる。アンテナは、１つまたは複数の物理的および／または仮想アンテナを備えることができる。
【００６２】
通信コントローラ５３０およびトランシーバ５４０は、当技術分野で知られている方法を使用して、１つまたは複数の無線規格によりアンテナ５５０を介して受信した情報を復調するように構成することができる。さらに、通信コントローラ５３０およびトランシーバ５４０は、当技術分野で知られている方法を使用して、１つまたは複数の無線規格によりアンテナ５５０を介してマクロノード２０５から送信される情報を変調することができる。送信される情報は、プロセッサ５０５から受信することができる。
【００６３】
プロセッサ５０５は、ＡＴ２２０および／または他のＡＴ用の情報および／またはパケット（例えば、音声情報、データ情報、相互周波数ハンドオフメッセージなど）の部分をメモリ５１０におよびそこから読み取るおよび書き込むことができる。
【００６４】
マクロノード２０５は、ネットワークインターフェイスコントローラ５５５を介して通信網２５０に接続することができる。したがって、マクロノード２０５は、図２に関して上に論じたように、通信網２５０に結合された他のノードと通信することができる。
【００６５】
別に説明するが、マクロノード５００に関して記載した機能ブロックは別の構造要素である必要がないことを理解されたい。例えば、プロセッサ５０５およびメモリ５１０は単一のチップで実現され得る。同様に、プロセッサ５０５、パイロットジェネレータ５１５、メッセージアナライザ５２０、ハンドオフコントローラ５２５、通信コントローラ５３０、およびトランシーバ５４０の２つ以上を単一のチップで実現し得る。さらに、トランシーバ５４０は、送信機、受信機または両方を備えることができる。他の実施形態では、送信機および受信機は２つの別の構成部品である。
【００６６】
メモリ５１０は、異なるレベルが異なる容量およびアクセス速度を有するマルチレベル階層キャッシュを含むプロセッサキャッシュを備えることができる。メモリ５１０はまた、ランダムアクセスメモリ（ＲＡＭ）、他の揮発性記憶デバイス、または不揮発性記憶デバイスを備えることができる。記憶装置は、ハードドライブ、コンパクトディスク（ＣＤ）またはデジタルビデオディスク（ＤＶＤ）などの光ディスク、フラッシュメモリ、フロッピーディスク、磁気テープ、およびジップドライブを含むことができる。
【００６７】
機能ブロックの１つまたは複数、および／またはマクロノード２０５に関して記載した機能ブロックの１つまたは複数の組合せを、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、ディスクリートゲートもしくはトランジスタ論理、ディスクリートハードウェア構成部品、または本明細書に記載した機能を行なうように設計されたその任意の適切な組合せとして実現できる。機能ブロックの１つまたは複数、および／またはマクロノード２０５に関して記載された機能ブロックの１つまたは複数の組合せはまた、演算デバイスの組合せ、例えばＤＳＰおよびマイクロプロセッサの組合せ、複数のマイクロプロセッサ、ＤＳＰ通信と併せた１つもしくは複数のマイクロプロセッサ、または任意の他のこのような構成として実施することができる。
【００６８】
図６は、図２のマクロノード２０５およびフェムトノード２１０を備えた例示的な無線通信システムを示している。無線通信システム６００は、図２に関して上に論じたようにマクロノード２０５によってサービスが提供されるマクロ領域２０７を備えている。無線通信システム６００はさらに、フェムトノード２１０によってサービスが提供されるフェムト領域２３０を備えている。本実施形態では、マクロ領域２０７およびフェムト領域２３０は、部分的に重複して、重複領域６４０を形成することができる。図２に関して上に論じたように、例えばＡＴ２２０などのＡＴは、フェムト領域２３０内でフェムトノード２１０を介して通信ネットワーク２５０にアクセスすることができる。さらに、例えばＡＴ２２０などのＡＴは、マクロ領域２０７内でマクロノード２０５を介して通信ネットワーク２５０にアクセスすることができる。したがって、通信システム６００内のＡＴ２２０は、通信網２５０を通して他のＡＴと通信することができる。
【００６９】
ＡＴ２２０は、図２に関して上に論じたように、通信リンクを介してマクロ領域２０７内でマクロノード２０５と通信することができる。一実施形態では、通信リンクは第１の周波数チャネルｆ１上に確立される。したがって、ＡＴ２２０およびマクロノード２０５は、マクロ領域２０７内で、周波数チャネルｆ１上で情報を交換する。さらに、フェムトノード２１０は、フェムト領域２３０内で同じ周波数チャネルｆ１上に信号を送信することができる。例えば、フェムトノード２１０は、同じ周波数チャネルｆ１上でフェムト領域２３０内の他のＡＴと通信することができる。
【００７０】
重複領域６４０内のフェムトノード２１０およびマクロノード２０５の通信間に干渉が生じる可能性がある。干渉は、マクロノード２０５およびフェムトノード２１０が同じ周波数チャネル上に信号を送信することにより生じ得る。重複領域６４０内では、ＡＴ２２０は、マクロノード２０５およびフェムトノード２１０の両方から第１の周波数チャネルｆ１上の送信を聞くまたは受信することができる。したがって、ＡＴ２２０は、フェムトノード２１０および／またはマクロノード２０５から受信した信号を解釈および／または分離することができない可能性がある。システム６００内の様々なポイントでの干渉レベルを以下に論じる。
【００７１】
ＡＴ２２０は、ポイントＡに位置決めすることができ、マクロノード２０５と通信することができる。ポイントＡは、マクロ領域２０７内にあるが、フェムト領域２３０の外側である。したがって、ＡＴ２２０がポイントＡでマクロノード２０５と通信する場合、フェムトノード２１０は通信に干渉しない。
【００７２】
ＡＴ２２０はまた、重複領域６４０内のポイントに位置決めすることができ、マクロノード２０５と通信することができる。例えば、ＡＴ２２０はポイントＢでは、マクロノード２０５と通信する場合に干渉を受ける可能性がある。干渉は、フェムトノード２１０が、マクロノード２０５と同じ周波数チャネルで送信することにより生じ得る。重複領域６４０内でフェムトノード２１０によって生じる干渉のレベルは、ＡＴ２２０とフェムトノード２１０の間の距離に反比例する可能性がある。したがって、ＡＴ２２０がポイントＣでマクロノード２０５と通信する場合、ＡＴ２２０は、ポイントＢの場合より、フェムトノード２１０によって送信される信号から、より大きなレベルの干渉を受ける可能性がある。
【００７３】
いくつかのポイントでは、フェムトノード２１０によって生じる干渉のレベルは、ＡＴ２２０がマクロノード２０５から受信した通信信号を解釈および／または分離することを防ぐことができる。例えば、マクロノード２０５から受信した信号のＡＴ２２０での信号対雑音比は、特定の閾値比より小さい可能性がある。閾値比は、ＡＴ２２０がマクロノード２０５と通信するために必要な最小信号対雑音比であってもよい。雑音は、ＡＴ２２０と通信するためにマクロノード２０５によって使用されるのと同じ周波数チャネル上でフェムトノード２１０からの送信を含むＲＦ信号を干渉することを備えることがある。
【００７４】
いくつかの場合では、フェムトノード２１０によって生じる干渉は、マクロノード２０５とＡＴ２２０の間の全ての通信を防ぐことができない。しかし、干渉は、情報をマクロノード２０５とＡＴ２２０の間でより低い速度で通信させる必要がある。例えば、マクロノード２０５は、ＡＴ２２０が受信信号を解釈することができることを保証するために、冗長データまたはデータへの追加の誤差補正ビットを送信する必要がある可能性がある。マクロノード２０５とＡＴ２２０の間の通信リンクは限られた帯域幅を有することができ、したがって、追加の誤差修正データを送信するには、そうでなければメッセージを通信するために使用することができるチャネル帯域幅の使用が必要である可能性がある。
【００７５】
ある実施形態では、マクロノード２０５は、図２を参照して上に論じたように、マクロノード２０５とＡＴ２２０の間の通信を介してフェムトノード２１０によって生じる干渉を監視することができる。このようないくつかの実施形態では、マクロノード２０５は、相互周波数ハンドオフを行なうようにＡＴ２２０に指示することができる。ＡＴ２２０はその後、相互周波数ハンドオフを行ない、フェムトノード２１０による通信のために使用される周波数とは異なる周波数でマクロノード２０５と通信し始めることができる。したがって、フェムトノード２１０からの信号は、マクロノード２０５からＡＴ２２０で受信した信号と干渉しない。
【００７６】
図７は、図２のフェムトノード２１０によって生じる干渉を監視する第１の例示的なプロセスのフローチャートである。プロセス７００は、図６に関して上に論じたように、フェムトノード２１０からの干渉に応じて、マクロノード２０５およびＡＴ２２０で相互周波数ハンドオフを行なうように使用することができる。
【００７７】
第１のステップ７０２では、ＡＴ２２０はフェムトノード２１０から送信されたパイロット信号を検出するのを待つことができる。フェムトノード２１０から送信されたパイロット信号を検出した後に、プロセス７００はステップ７０４に続く。ステップ７０４では、ＡＴ２２０は、ＰＳＭＭを生成し、ＰＳＭＭをマクロノード２０５に送信することができる。いくつかの実施形態では、ＰＳＭＭメッセージは、ＡＴ２２０がフェムトノードを検出したことを示している。さらに、ステップ７０６では、マクロノード２０５はＡＴ２２０によって送信されたＰＳＭＭメッセージを受信することができる。ステップ７０７では続いて、マクロノード２０５は、受信したＰＳＭＭメッセージからフェムトノード２１０の存在を識別することができる。次のステップ７０８では、マクロノード２０５は、上に論じたように相互周波数ハンドオフを行なった後に通信するように、ＡＴ２２０およびマクロノード２０５に対する周波数チャネルを選択することができる。一実施形態では、選択した周波数チャネルは、相互周波数ハンドオフの前にＡＴ２２０とマクロノード２０５の間の通信に使用される周波数チャネルに隣接していない利用可能な周波数チャネルである。例えば、各周波数チャネルは特定の周波数で集中された帯域幅（例えば、１．２５ＭＨｚ）を有することができる。したがって、非隣接周波数チャネルの中心は少なくともこの帯域幅だけ分離されている。
【００７８】
次に、ステップ７１０では、マクロノード２０５はメッセージをＡＴ２２０に送信して、相互周波数ハンドオフを行なうようにＡＴ２２０に指示することができる。いくつかの実施形態では、メッセージは、ハンドオフの後にＡＴ２２０がマクロノード２０５と通信するステップ７０８で選択された周波数チャネルを備えている。ステップ７１２に続いて、ＡＴ２２０はマクロノード２１０からメッセージを受信する。さらに、ステップ７１４では、ＡＴ２２０は、一実施形態ではステップ７１２においてＡＴ２２０で受信したメッセージによって示される周波数チャネルである、新しい周波数チャネルで通信し始める。
【００７９】
図８は、図２のフェムトノード２１０によって生じる干渉を監視する第２の例示的なプロセスのフローチャートである。プロセス８００は、図６に関して上に論じたように、フェムトノード２１０からの干渉に応じて、マクロノード２０５およびＡＴ２２０で相互周波数ハンドオフを行なうために使用することができる。
【００８０】
第１のステップ８０２では、ＡＴ２２０はフェムトノード２１０から送信されたパイロット信号を検出するのを待つことができる。フェムトノード２１０から送信されたパイロット信号を検出した後に、プロセス８００はステップ７０４に続く。ステップ８０４では、ＡＴ２２０は、ＰＳＭＭを生成し、ＰＳＭＭをマクロノード２０５に送信することができる。いくつかの実施形態では、ＰＳＭＭメッセージは、ＡＴ２２０がフェムトノードを検出したことを示す。さらに、ステップ８０６では、マクロノード２０５はＡＴ２２０によって送信されたＰＳＭＭメッセージを受信することができる。ステップ８０７では続いて、マクロノード２０５は、受信したＰＳＭＭメッセージからフェムトノード２１０の存在を識別することができる。次の任意選択のステップ８０８では、マクロノード２０５は、マクロノード２０５に追加のＰＳＭＭを送信するようにＡＴ２２０に要求するメッセージを生成することができる。メッセージは、マクロノード２０５に送信するＰＳＭＭ数、およびＰＳＭＭを送信する時間間隔を備えるスケジュールを示すことができる。いくつかの実施形態では、メッセージは、ＡＴ２２０がＰＳＭＭを周期的に生成および送信することを示すことができる。次の任意選択のステップ８１０では、ＡＴ２２０はメッセージをマクロノード２０５から受信することができる。ステップ８０８および８１０はいくつかの実施形態では任意選択であることに留意されたい。このような実施形態では、ＡＴ２２０はＰＳＭＭをマクロノード２０５に送信するために予め構成されたスケジュールを有することができる。例えば、一実施形態では、ＡＴ２２０は周期的なＰＳＭＭをマクロノード２０５に自立的に送信する。
【００８１】
さらに、ステップ８１２では、ＡＴ２２０はスケジュールにしたがってＰＳＭＭを生成および送信することができる。生成されたＰＳＭＭは、フェムトノード２１０からＡＴ２２０によって受信された最新のパイロット信号の強度を示すことができる。フェムトノード２１０からＡＴ２２０で受信したパイロット信号の強度は、ＡＴ２２０で受信した通信信号に干渉する可能性があるフェムトノード２１０からの送信強度を示す。生成されたＰＳＭＭはまた、マクロノード２０５からＡＴ２２０によって受信した最新のパイロット信号の強度を示すことができる。マクロノード２０５からＡＴ２２０で受信されたパイロット信号の強度は、マクロノード２０５からの送信強度を示す。したがって、ＰＳＭＭメッセージは、マクロノード２０５とＡＴ２２０の間の通信上にフェムトノード２１０によって生じる現在の干渉レベルを示す更新機構として働く。ＰＳＭＭメッセージはまた、マクロノード２０５からＡＴ２２０によって受信された信号の品質に関して更新機構として働くことができる。
【００８２】
別のステップ８１４では、マクロノード２０５はＰＳＭＭメッセージを受信することができる。ステップ８１６に続いて、マクロノード２０５は、ＰＳＭＭメッセージ内でフェムトノード２１０からＡＴ２２０で受信されたパイロット信号の強度が第１の所定の閾値より上であるかどうかを判断することができる。加えて、または別の方法では、マクロノード２０５は、ＰＳＭＭメッセージ内でマクロノード２０５からＡＴ２２０で受信されたパイロット信号の強度が第２の所定の閾値より下であるかどうかを判断することができる。フェムトノード２１０からＡＴ２２０で受信されたパイロット信号の強度が第１の所定の閾値より上ではない場合、プロセス８００はステップ８１７に進むことができる。加えて、または別の方法では、マクロノード２０５からＡＴ２２０で受信されたパイロット信号の強度が第２の所定の閾値より下ではない場合、プロセス８００はステップ８１７に進むことができる。
【００８３】
ステップ８１７では、ＡＴ２２０は、別のＰＳＭＭメッセージが生成されるようにスケジューリングされ、スケジュールにしたがって伝達されるかどうかを判断することができる。ステップ８１７で、別のＰＳＭＭメッセージが生成されるようにスケジューリングされていないと判断された場合、プロセス８００はステップ８０２に戻り、フェムトノード２１０からの別のパイロット信号を検出するのを待つ。ステップ８１７で、別のＰＳＭＭメッセージが生成されるようにスケジューリングされていると判断された場合、プロセスはステップ８１２に戻り、ここでＡＴ２２０は別のＰＳＭＭを生成および送信することができる。
【００８４】
ステップ８１６で、フェムトノード２１０からＡＴ２２０で受信したパイロット信号の強度が第１の閾値より上である、および／またはマクロノード２０５からＡＴ２２０で受信したパイロット信号の強度が第２の閾値より下であることが判断された場合に、プロセス８００はステップ８１９に続く。ステップ８１９では、マクロノード２０５は、図６に関して上に論じたように、相互周波数ハンドオフを行なった後に通信するように、ＡＴ２２０およびマクロノード２０５に対する周波数チャネルを選択することができる。一実施形態では、選択した周波数チャネルは、相互周波数ハンドオフの前にＡＴ２２０とマクロノード２０５の間の通信に使用される周波数チャネルに隣接していない利用可能な周波数チャネルである。次に、ステップ８２０では、マクロノード２０５はＡＴ２２０にメッセージを送信して、ＡＴ２２０に相互周波数ハンドオフを行なうように指示することができる。いくつかの実施形態では、メッセージは、ハンドオフの後にＡＴ２２０がマクロノード２０５と通信する周波数チャネルを備えている。ステップ８２２に続いて、ＡＴ２２０はマクロノード２０５からメッセージを受信する。さらに、ステップ８２４では、ＡＴ２２０は新しい周波数チャネル上で通信し始め、これは一実施形態では、ＡＴ２２０で受信されるメッセージによって示される周波数チャネルである。
【００８５】
プロセス７００および８００と同様のプロセスは、マクロノードとＡＴの間の通信でフェムトノードによって生じる干渉を監視するために使用することもできることに留意されたい。いくつかの実施形態では、プロセス７００および８００と同様のプロセスは、より少ない、追加の、または代替ステップを備えることができる。例えば、一実施形態では、プロセス８００のステップ８０８および８１０を取り除くことができる。新しいステップは、ステップ８０８および８１０の代わりをすることができる。新ステップでは、ＡＴ２２０は、マクロノード２０５に送信するＰＳＭＭ数、およびＰＳＭＭを送信する時間間隔を備えるスケジュールを生成することができる。いくつかの実施形態では、スケジュールは、ＡＴ２２０がＰＳＭＭを周期的に生成および送信することを示すことができる。さらに、プロセス７００および８００のいくつかの実施形態では、相互周波数ハンドオフを行なう決定は、プロセッサ４０５によってＡＴ２２０で行なうことができる。いくつかのこのような実施形態では、ＡＴ２２０は、相互周波数ハンドオフを行なうようにマクロノード２０５に送信するメッセージを生成することができる。
【００８６】
図９は、例えば図１および２に示すように、無線通信網用の例示的なサービスエリアを示している。サービスエリア９００は、図２に関して上に論じるように、ＡＴ２２０が通信ネットワーク２５０にアクセスすることができる１つまたは複数の地理的領域を備えることができる。図示するように、サービスエリア９００は、いくつかの追跡領域（tracking area）９０２（または、ルーティング領域（routing area）または位置領域（location area））を備えている。各追跡領域９０２は、図２に関して上に記載したマクロ領域２０７と同様である可能性がある、いくつかのマクロ領域９０４を備えている。ここで、追跡領域９０２Ａ、９０２Ｂ、および９０２Ｃに関連するサービスエリアは図では、太線によって描かれており、マクロ領域９０４は六角形によって描かれている。追跡領域９０２はまた、図２に関して上に記載したフェムト領域２３０と同様である可能性があるフェムト領域９０６を備えることができる。本例では、各フェムト領域９０６（例えば、フェムト領域９０６Ｃ）はマクロ領域９０４（例えば、マクロ領域９０４Ｂ）内に示されている。しかし、フェムト領域９０６はマクロ領域９０４内に完全にはない可能性があることを理解されたい。実際、多数のフェムト領域９０６は、所与の追跡領域９０２またはマクロ領域９０４で画定することができる。また、１つまたは複数のピコ領域（図示せず）は、所与の追跡領域９０２またはマクロ領域９０４内に画定することができる。
【００８７】
再び図２を参照すると、フェムトノード２１０の所有者は、通信網２５０（例えば、携帯電話オペレータ基幹回線網）を通して提供される、例えば３Ｇ携帯電話サービスなどの携帯電話サービスに加入することができる。加えて、アクセス端末２２１は、マクロ環境（例えば、マクロ領域）、およびより小さい規模（例えば、住居、フェムト領域、ピコ領域など）のネットワーク環境の両方で動作することが可能であることがある。すなわち、アクセス端末２２１の現在の位置によって、アクセス端末２２１は、マクロノード２０５、または１セットのフェムトノードのいずれか１つ（例えば、フェムトノード２１０）によって通信網２５０にアクセスすることができる。例えば、加入者が家の外にいる場合、マクロノード（例えば、ノード２０５）によって提供され、加入者が家にいる場合、フェムトノード（例えば、ノード２１０）によって提供されることができる。さらに、フェムトノード２１０は既存のアクセス端末２２１と下位互換性がある可能性があることを理解されたい。
【００８８】
フェムトノード２１０は、単一の周波数、または別の方法では、多数の周波数で通信することができる。具体的な構成によって、単一の周波数、または多数の周波数の１つまたは複数は、マクロノード（例えば、ノード２５０）によって使用される１つまたは複数の周波数に重複することができる。
【００８９】
一実施形態では、アクセス端末２２１は、アクセス端末２２１がフェムトノードの通信範囲内である場合はいつでも、特定の（例えば、好ましい）フェムトノード（例えば、アクセス端末２２１の家庭用フェムトノード）に接続するように構成することができる。例えば、アクセス端末２２１は、アクセス端末２２１がフェムト領域２３０内にある場合に、フェムトノード２１０だけに通信することしかできない。
【００９０】
別の実施形態では、アクセス端末２２１は、通信網２５０のノードと通信しているが、（例えば、好ましいローミングリスト内に規定されているように）好ましいノードと通信していない。本実施形態では、アクセス端末２２１は、Better System Reselection（「ＢＳＲ」）を使用して、好ましいノード（例えば、好ましいフェムトノード２１０）を検索し続けることができる。ＢＳＲは、優れたシステムが現在利用可能であるかどうかを判断するための利用可能なシステムの周期的走査を備える方法を備えることができる。ＢＳＲはさらに、利用可能な好ましいシステムに関連しようと試みることを備えることができる。アクセス端末２２１は、１つまたは複数の特定の帯域および／またはチャネル上の走査にＢＳＲを限ることができる。好ましいフェムトノード２１０を見つけると、アクセス端末２２１は、フェムト領域２３０内で通信網２５０にアクセスするために通信相手としてフェムトノード２１０を選択する。
【００９１】
一実施形態では、ノードは、特定のアクセス端末に特定のサービスを提供することしかできない。このようなノードは、「制限された」または「クローズド」ノードと呼ぶことができる。制限されたフェムトノードを含む無線通信網では、所与のアクセス端末は、マクロノードおよび規定セットのフェムトノード（例えば、フェムトノード２１０）によって提供することしかできない。他の実施形態では、信号送信、データアクセス、登録、ページング、またはサービスの少なくとも１つを提供しないようにノードを制限することができる。
【００９２】
一実施形態では、制限されたフェムトノード（クローズド加入者グループホームノードＢと呼ぶこともできる）は、制限して規定されたセットのアクセス端末にサービスを提供するものである。このセットは、必要に応じて追加のまたはより少ないアクセス端末を含むように一時的にまたは永久的に変更することができる。いくつかの態様では、クローズド加入者グループ（「ＣＳＧ」）は、アクセス端末の共通アクセス制御リスト（例えば、制限して規定されたセットのアクセス端末のリスト）を共有するセットのアクセスノード（例えば、フェムトノード）として規定することができる。領域内のフェムトノード全て（または、制限されたフェムトノード全て）が動作するチャネルは、フェムトチャネルと呼ぶことができる。
【００９３】
したがって、様々な関係が、所与のフェムトノードと所与のアクセス端末の間に存在する可能性がある。例えば、アクセス端末の観点から、オープンフェムトノードは、制限された関連付けがないフェムトノードのことを言うことができる。制限されたフェムトノードは、ある方法で制限された（例えば、関連付けおよび／または登録のために制限された）フェムトノードのことを言うことができる。ホームフェムトノードは、アクセス端末がアクセスし、操作するように権限が与えられたフェムトノードのことを言うことができる。ゲストフェムトノードは、アクセス端末がアクセスまたは操作するように一時的に権限が与えられたフェムトノードのことを言うことができる。外部のフェムトノードは、おそらく緊急の状況（例えば、９１１通報）を除いて、アクセス端末がアクセスまたは操作するように権限が与えられていないフェムトノードのことを言うことができる。
【００９４】
制限されたフェムトノードの観点から、家庭用アクセス端末は、制限されたフェムトノードにアクセスするように権限が与えられたアクセス端末のことを言うことができる。ゲストアクセス端末は、制限されたフェムトノードへの一時アクセスを備えたアクセス端末のことを言うことができる。外部のアクセス端末は、おそらく９１１通報などの緊急の状況を除いて、制限されたフェムトノードにアクセスする許可がないアクセス端末のことを言うことができる。
【００９５】
便宜上、本明細書の開示は、フェムトノードに関連する様々な機能性を説明している。しかし、ピコノードはより大きなサービスエリアに対する同じまたは同様の機能性を提供することができることを理解されたい。例えば、ピコノードを制限することができる、家庭用ピコノードを所与のアクセス端末用に規定することができる、といった具合である。
【００９６】
無線マルチアクセス通信システムは同時に、多数の無線アクセス端末に対する通信をサポートすることができる。上に説明したように、各アクセス端末は、順方向および逆方向リンク上の送信を介して１つまたは複数のノードに通信することができる。順方向リンク（または、ダウンリンク）は、ノードからアクセス端末までの通信リンクのことを言い、逆方向リンク（または、アップリンク）は、アクセス端末からノードまでの通信リンクのことを言う。この通信リンクは、単入力単出力システム、多入力多出力（「ＭＩＭＯ」）システム、またはいくつかの他のタイプのシステムを介して確立することができる。
【００９７】
ＭＩＭＯシステムは、データ送信のために、多数（ＮＴ個）の送信アンテナおよび多数（ＮＲ個）の受信アンテナを利用する。ＮＴ個の送信およびＮＲ個の受信アンテナによって形成されるＭＩＭＯチャネルは、空間チャネルとも呼ばれるＮＳ個の独立チャネルを備えることができ、ここでＮＳ≦min｛ＮＴ，ＮＲ｝である。各ＮＳ個の独立チャネルは次元（dimension）に対応する。ＭＩＭＯシステムは、多数の送信および受信アンテナによって生成された追加の次元性が利用される場合に、改良された性能（例えば、より高いスループットおよび／またはより大きい信頼性）を与えることができる。
【００９８】
ＭＩＭＯシステムは、時分割デュプレックス（「ＴＤＤ」）および周波数分割デュプレックス（「ＦＤＤ」）をサポートすることができる。ＴＤＤシステムでは、順方向および逆方向リンク送信は同じ周波数領域にあり、それによって相互依存原則は、逆方向リンクチャネルからの順方向リンクチャネルの推定が可能になる。これにより、多数のアンテナがデバイスで利用可能である場合に、デバイス（例えば、ノード、アクセス端末など）が順方向リンク上の送信ビームフォーミングゲインを抽出することが可能になる。
【００９９】
本明細書の教示は、少なくとも１つの他のデバイスと通信するために様々な構成部品を利用して、デバイス（例えば、ノード、アクセス端末など）に組み込むことができる。
【０１００】
図１０は、図２に示す別の例示的なノードおよび別の例示的なアクセス端末の機能ブロック図である。図示するように、ＭＩＭＯシステム１０００は、無線デバイス１０１０（例えば、フェムトノード２１０、マクロノード２０５など）、および無線デバイス１０５０（例えば、ＡＴ２２０）を備えている。デバイス１０１０では、いくつかのデータストリーム用のトラフィックデータは、データソース１０１２から送信（「ＴＸ」）データプロセッサ１０１４まで提供される。
【０１０１】
一実施形態では、各データストリームはそれぞれの送信アンテナ上で送信される。ＴＸデータプロセッサ１０１４は、そのデータストリームが符号化されたデータを提供するために選択された特定の符号化スキームに基づき、各データストリーム用トラフィックデータをフォーマットし、符号化し、インターリーブする。
【０１０２】
各データストリーム用の符号化されたデータは、ＯＦＤＭ技術を使用して、パイロットデータで多重化することができる。パイロットデータは典型的には、既知の方法で処理される既知のデータパターンであり、チャネル応答を推定するために受信機システムで使用することができる。各データストリーム用の多重化されたパイロットおよび符号化データはその後、変調シンボルを提供するためにそのデータストリームのために選択された特定の変調スキーム（例えば、ＢＰＳＫ、ＱＳＰＫ、Ｍ−ＰＳＫ、またはＭ−ＱＡＭ）に基づいて変調される（例えば、記号マッピングされる）。各データストリーム用のデータ転送速度、符号化、および変調は、プロセッサ１０３０によって行なわれた指示によって判断することができる。データメモリ１０３２は、プロセッサ１０３０、またはデバイス１０１０の他の構成部品によって使用されるプログラムコード、データ、および他の情報を記憶することができる。
【０１０３】
全てのデータストリーム用の変調シンボルはその後、変調シンボル（例えば、ＯＦＤＭ用）をさらに処理することができるＴＸ  ＭＩＭＯプロセッサ１０２０に提供される。ＴＸ  ＭＩＭＯプロセッサ１０２０はその後、ＮＴ変調シンボルストリームをＮＴトランシーバ（「ＸＣＶＲ」）１０２２Ａから１０２２Ｔまで提供する。いくつかの態様では、ＴＸ  ＭＩＭＯプロセッサ１０２０は、ビームフォーミングの重み付けを、データストリームのシンボル、およびシンボルがそこから送信されているアンテナに加える。
【０１０４】
各トランシーバ１０２２は、１つまたは複数のアナログ信号を提供するためにそれぞれのシンボルストリームを受信および処理し、さらにＭＩＭＯチャネル上の送信に適した変調シンボルを提供するようにアナログ信号を調節（例えば、増幅、フィルタリング、およびアップコンバート）する。トランシーバ１０２２Ａから１０２２ＴからのＮＴ変調信号はその後、それぞれＮＴアンテナ１０２４Ａから１０２４Ｔから送信される。
【０１０５】
デバイス１０５０では、送信された変調信号は、ＮＲ個のアンテナ１０５２Ａ〜１０５２Ｒによって受信され、各アンテナ２１５２からの受信信号は、それぞれのトランシーバ（「ＸＣＶＲ」）１０５４Ａ〜１０５４Ｒに提供される。各トランシーバ１０５４は、それぞれの受信信号を調節（例えば、フィルタリング、増幅、およびダウンコンバート）し、サンプルを提供するように、調節された信号をデジタル化し、さらに対応する「受信」シンボルストリームを提供するようにサンプルを処理する。
【０１０６】
受信（「ＲＸ」）データプロセッサ１０６０はその後、ＮＴ個の「検出」シンボルストリームを提供するように、特定の受信機処理技術に基づいて、ＮＲ個のトランシーバ１０５４からのＮＲ個の受信シンボルストリームを受信および処理する。ＲＸデータプロセッサ１０６０はその後、データストリーム用トラフィックデータを回収するように、各検出記号ストリームを復調、デインターリーブ、および復号化する。ＲＸデータプロセッサ１０６０によって行なわれる処理は、デバイス１０１０でＴＸ  ＭＩＭＯプロセッサ１０２０およびＴＸデータプロセッサ１０１４によって行なわれるものと相補的である。
【０１０７】
プロセッサ１０７０は、どのプレコーディングマトリックス（pre-coding matrix）を使用するか（以下に論じる）を周期的に判断する。プロセッサ１０７０は、マトリックス指標部およびランク値部を備えた逆方向リンクメッセージを定式化する。データメモリ２１７２は、デバイス１０５０のプロセッサ１０７０または他の構成要素によって使用されるプログラムコード、データおよび他の情報を記憶することができる。
【０１０８】
逆方向リンクメッセージは、通信リンクおよび／または受信データストリームに関する様々なタイプの情報を備えることができる。逆方向リンクメッセージはその後、ＴＸデータプロセッサ１０３８によって処理される。ＴＸデータプロセッサ１０３８はまた、データソース１０３６から多くのデータストリーム用のトラフィックデータを受信する。変調器１０８０は、データストリームを変調する。さらに、トランシーバ１０５４Ａから１０５４Ｒは、データストリームを調節し、データストリームをデバイス１０１０に送信し戻す。
【０１０９】
デバイス１０１０では、デバイス１０５０からの変調信号は、アンテナ１０２４によって受信される。さらに、トランシーバ１０２２は変調信号を調節する。復調器（「ＤＥＭＯＤ」）１０４０は変調信号を復調する。ＲＸデータプロセッサ１０４２は、復調信号を処理し、デバイス１０５０によって送信された逆方向リンクメッセージを抽出する。プロセッサ１０３０はその後、ビームフォーミングの重みを判断するためにどのプレコーディングマトリックスを使用するか判断する。さらに、プロセッサ１０３０は抽出されたメッセージを処理する。
【０１１０】
さらに、デバイス１０１０および／またはデバイス１０５０は、本明細書に教示されたように、干渉制御動作を行なう１つまたは複数の構成要素を備えることができる。例えば、干渉（「ＩＮＴＥＲ」）制御構成要素１０９０は、本明細書に教示されたように、別のデバイス（例えば、デバイス１０５０）へ／そこから信号を送信／受信するように、プロセッサ１０３０および／またはデバイス１０１０の他の構成要素と協働することができる。同様に、干渉制御構成要素１０９２は、別のデバイス（例えば、デバイス１０１０）へ／そこから信号を送信／受信するように、プロセッサ１０７０および／またはデバイス１０５０の他の構成要素と協働することができる。各デバイス１０１０および１０５０では、記載した構成要素の２つ以上の機能性は単一の構成要素によって与えることができることを理解されたい。例えば、単一の処理構成要素は、干渉制御構成要素１０９０およびプロセッサ１０３０の機能性を提供することができる。さらに、単一の処理構成要素は、干渉制御構成要素１０９２およびプロセッサ１０７０の機能性を提供することができる。
【０１１１】
（例えば、添付の図面の１つまたは複数に関して）本明細書に記載した機能性は、いくつかの態様では、添付の特許請求の範囲の機能性のための同様に指定された「手段」に対応し得る。図１１および１２を参照すると、ＡＴ２２０およびマクロノード２０５は、一連の相関機能モジュールとして示されている。
【０１１２】
図１１は、図２に示すさらに別の例示的なアクセス端末の機能ブロック図である。図示するように、ＡＴ２２０は、処理モジュール１１０５、記憶モジュール１１１０、生成モジュール１１１５、検出モジュール１１２０、識別モジュール１１２１、受信モジュール１１２５、送信モジュール１１４１、および通信モジュール１１４０を備えることができる。処理モジュール１１０５は、少なくともいくつかの態様では、例えば本明細書に論じるようなプロセッサに対応し得る。記憶モジュール１１１０は、少なくともいくつかの態様では、例えば本明細書に論じるようなメモリに対応し得る。生成モジュール１１１５は、少なくともいくつかの態様では、例えば本明細書に論じるようなメッセージジェネレータに対応し得る。検出モジュール１１２０は、少なくともいくつかの態様では、例えば本明細書に論じるようなパイロット検出器に対応し得る。識別モジュール１１２１は、少なくともいくつかの態様では、例えば本明細書に論じるようなパイロット検出器に対応し得る。受信モジュール１１２５は、少なくともいくつかの態様では、例えば本明細書に論じるような受信機および／またはハンドオフコントローラに対応し得る。送信モジュール１１４１は、少なくともいくつかの態様では、例えば本明細書に論じるような送信機に対応し得る。通信モジュール１１４０は、少なくともいくつかの態様では、例えば本明細書に論じるようなトランシーバに対応し得る。
【０１１３】
図１２は、図２に示すさらに別の例示的なマクロノードの機能ブロック図である。図示するように、マクロノード２０５は、処理モジュール１２０５、記憶モジュール１２１０、生成モジュール１２１５、分析モジュール１２２０、受信モジュール１２２５、送信モジュール１２４１、通信モジュール１２４０、およびインターフェイスモジュール１２５５を備えることができる。処理モジュール１２０５は、少なくともいくつかの態様では、例えば本明細書に論じるようなプロセッサに対応し得る。記憶モジュール１２１０は、少なくともいくつかの態様では、例えば本明細書に論じるようなメモリに対応し得る。生成モジュール１２１５は、少なくともいくつかの態様では、例えば本明細書に論じるようなパイロットジェネレータに対応し得る。分析モジュール１２２０は、少なくともいくつかの態様では、例えば本明細書に論じるようなメッセージアナライザに対応し得る。受信モジュール１２２５は、少なくともいくつかの態様では、例えば本明細書に論じるような受信機および／またはハンドオフコントローラに対応し得る。送信モジュール１２４１は、少なくともいくつかの態様では、例えば本明細書に論じるような送信機に対応し得る。通信モジュール１２４０は、少なくともいくつかの態様では、例えば本明細書に論じるようなトランシーバに対応し得る。インターフェイスモジュール１２５５は、少なくともいくつかの態様では、例えば本明細書に論じるようなネットワークインターフェイスコントローラに対応し得る。
【０１１４】
図１１および１２のモジュールの機能性は、本明細書の教示に一致する様々な方法で実施することができる。いくつかの態様では、これらのモジュールの機能性は、１つまたは複数の電子部品として実施することができる。いくつかの態様では、これらのブロックの機能性は、１つまたは複数のプロセッサ構成要素を含む処理システムとして実施することができる。いくつかの態様では、これらのモジュールの機能性は、例えば１つまたは複数の集積回路（例えば、ＡＳＩＣ）の少なくとも一部を使用して実施することができる。本明細書に論じるように、集積回路は、プロセッサ、ソフトウェア、他の関連構成要素、またはそのいくつかの組合せを含むことができる。これらのモジュールの機能性はまた、本明細書に教示するように、いくつかの他の方法で実施することができる。
【０１１５】
「第１の」、「第２の」などの指定を使用する本明細書の要素への言及は、一般にこれらの要素の量または順序を制限するものではないことを理解されたい。むしろ、これらの指定は、２つ以上の要素または要素の例の区別の便利な方法として本明細書で使用することができる。したがって、第１および第２の要素への言及は、２つの要素だけがそこで利用可能であること、またはある意味で第１の要素が第２の要素に先行しなければならないということを意味するものではない。また、そうでないと記されていない限り、１セットの要素は１つまたは複数の要素を備えることができる。加えて、本明細書または特許請求の範囲で使用される「Ａ、ＢまたはＣの少なくとも１つ」という形式の用語は、「ＡまたはＢまたはＣ、またはこれらの要素のあらゆる組合せ」のことを意味するものである。
【０１１６】
本明細書は本発明の具体例を記載しているが、当業者は発明の概念から逸脱することなく、本発明の変更形態を工夫することができる。例えば、本明細書の教示は、フェムトセルおよびマクロセルを備えたネットワークに言及しているが、他のトポロジーを備えたネットワークに等しく適用可能である。
【０１１７】
情報および信号は、様々な異なるテクノロジーおよび技術のいずれかを使用して示すことができることが当業者なら分かるだろう。例えば、上記記載全体を通して言及することができるデータ、命令、コマンド、情報、信号、ビット、記号、およびチップは、電圧、電流、電磁波、磁界もしくは磁性粒子、光場もしくは光学粒子、またはそのあらゆる組合せによって示すことができる。
【０１１８】
当業者はさらに、本明細書に開示した実施例に関して記載される様々な例示的な論理ブロック、モジュール、回路、方法およびアルゴリズムは、電子ハードウェア、コンピュータソフトウェア、または両方の組合せとして実施出来ることができることが分かるだろう。ハードウェアおよびソフトウェアのこの互換性を明確に示すために、様々な例示的な構成要素、ブロック、モジュール、回路、方法およびアルゴリズムを、その機能性に関して全体的に上に記載した。このような機能性がハードウェアまたはソフトウェアとして実施されるかどうかは、システム全体に加えられる特定のアプリケーションおよび設計制約による。当業者は、各特定のアプリケーションに対して様々な方法で記載した機能性を実施することができるが、このような実施決定は本発明の範囲からの逸脱を生じさせるものとして解釈されるべきものではない。
【０１１９】
本明細書に開示した実施例に関して記載される様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、ディスクリートゲートもしくはトランジスタ論理、ディスクリートハードウェア構成部品、または本明細書に記載した機能を行なうように設計されたその任意の適切な組合せで実施するまたは行なうことができる。汎用プロセッサはマイクロプロセッサであってもよいが、別の方法では、プロセッサは任意の従来プロセッサ、コントローラ、マイクロコントローラ、またはステートマシンであってもよい。プロセッサはまた、演算デバイスの組合せ、例えばＤＳＰおよびマイクロプロセッサの組合せ、複数のマイクロプロセッサ、ＤＳＰ通信と併せた１つもしくは複数のマイクロプロセッサ、または任意の他のこのような構成として実施することができる。
【０１２０】
本明細書に開示する実施例に関して記載した方法またはアルゴリズムは、ハードウェア内、プロセッサによって実行されるソフトウェアモジュール内、または２つの組合せ内で直接実施することができる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で知られているあらゆる他の形の記憶媒体に属することができる。記憶媒体はプロセッサに結合させることができ、それによってプロセッサは記憶媒体から情報を読み取り、情報を記憶媒体に書き込むことができる。別の方法では、記憶媒体はプロセッサと一体的であってもよい。プロセッサおよび記憶媒体はＡＳＩＣに属することができる。
【０１２１】
１つまたは複数の例示的な実施形態では、記載した機能は、ハードウェア、ソフトウェア、ファームウェア、またはそのあらゆる組合せで実施することができる。ソフトウェアで実施される場合、機能はコンピュータ読み取り可能な媒体上の１つまたは複数の命令またはコードに記憶する、またはその上に送信することができる。コンピュータ読み取り可能な媒体は、コンピュータ記憶媒体、および１つの場所から別の場所へのコンピュータプログラムの移動を容易にする任意の媒体を含む通信媒体の両方を含んでいる。記憶媒体は、汎用または特定用途向けコンピュータによってアクセスすることができる任意の市販の媒体であってもよい。例として、これに限らないが、このようなコンピュータ読み取り可能な媒体としては、ＲＡＭ、ＲＯＭ、ＥＥＰＲＯＭ、ＣＤ−ＲＯＭ、または他の光ディスク記憶装置、磁気ディスク記憶装置または他の磁気記憶デバイス、または指示もしくはデータ構造の形で所望のプログラムコード手段を担持もしくは記憶するために使用することができ、汎用もしくは特定用途向けコンピュータ、または汎用もしくは特定用途向けプロセッサによってアクセスすることができる任意の他の媒体を備えることができる。また、任意の接続が、コンピュータ読み取り可能な媒体と適切に呼ばれる。例えば、ソフトウェアがウェブサイト、サーバ、または同軸ケーブル、光ファイバケーブル、ツイストペア線、デジタル加入者回線（ＤＳＬ）、もしくは赤外線、無線、およびマイクロ波などの無線技術を使用する他のリモートソースから送信される場合、同軸ケーブル、光ファイバケーブル、ツイストペア線、ＤＳＬ、または赤外線、無線およびマイクロ波などの無線技術は、媒体の定義に含まれる。本明細書で使用されるディスク（diskおよびdisc）としては、コンパクトディスク（ＣＤ）、レーザディスク、光ディスク、デジタル多用途ディスク（ＤＶＤ）、フロッピーディスクおよびブルーレイディスクが挙げられ、ディスク（disk）は通常、データを磁気的に再生するが、ディスク（disc）はレーザでデータを光学的に再生する。上記の組合せはまた、コンピュータ読み取り可能な媒体の範囲内に含めることができる。
【０１２２】
開示した実施例の前の説明は、当業者が本発明を行なうまたは使用することを可能にするように与えられている。これらの実施例に対する様々な変更形態は、当業者にはすぐに分かり、本明細書に規定した一般的原則は、本発明の精神または範囲から逸脱することなく他の実施例に適用することができる。したがって、本発明は本明細書に示す実施例に限ることを意図するものではなく、本明細書に開示した原則および新規の特徴に一致する最も幅広い範囲を認めるものである。
以下に、本願出願の当初の特許請求の範囲に記載された発明を付記する。
［１］無線通信システム内のフェムトノードによって送信される干渉信号を避ける方法であって、
第１のトランシーバと、第１の領域内に無線通信サービスエリアを提供するように構成された基地局との間に通信リンクを確立することと、
前記第１のトランシーバとは異なる少なくとも第２のトランシーバに対して、前記第１の領域より小さい第２の領域内の無線通信サービスエリアを提供するように構成された前記フェムトノードによって生成されたフェムト信号を、前記第１のトランシーバによって検出することと、
前記フェムト信号の信号強度を示す情報を識別することと、
前記フェムト信号を検出することに応じて、前記フェムトノードを識別する情報、および第１の周波数搬送波上の前記基地局への前記フェムト信号の前記信号強度を示す情報を備える第１のメッセージを送信することと、
前記基地局から、第２の搬送波周波数の上で通信する命令を示す情報を備える第２のメッセージを受信することと、
前記第２のメッセージに応じて、第２の周波数搬送波上で前記基地局と通信することと
を備える方法。
［２］前記フェムトノードは、インターネットを介して前記基地局と通信するように構成されている、上記［１］の方法。
［３］前記基地局によって生成されるマクロ信号を前記第１のトランシーバによって検出することと、
前記マクロ信号の信号強度を示す情報を識別することと、
前記マクロ信号を検出することに応じて前記基地局に、前記マクロ信号の前記信号強度を示す前記情報を備える第３のメッセージを送信することと
をさらに備える、上記［１］の方法。
［４］前記基地局は、前記マクロ信号の前記信号強度が閾値より小さい場合に、前記第２のメッセージを生成するように構成されている、上記［３］の方法。
［５］前記基地局は、前記フェムト信号の前記信号強度が閾値を超える場合に、前記第２のメッセージを生成するように構成されている、上記［１］の方法。
［６］前記基地局は、前記基地局が前記第１のメッセージに基づき、前記フェムトノードを識別する場合に、前記第２のメッセージを生成するように構成されている、上記［１］の方法。
［７］少なくとも部分的に前記フェムト信号に基づいて、前記フェムトノードの存在を識別すること
をさらに備える、上記［１］の方法。
［８］前記フェムト信号は第１の擬似雑音オフセットを備えており、
前記フェムトノードの前記存在を識別することは、前記第１の擬似雑音オフセットが、前記フェムトノードおよび／または１つまたは複数の追加のフェムトノードによる使用に割り当てられる擬似雑音オフセットの組に属しているかどうかを判断することを備えている、上記［７］の方法。
［９］前記フェムトノードによって生成される追加のフェムト信号を前記第１のトランシーバによって周期的に検出することと、
前記追加のフェムト信号の追加の信号強度を示す情報を周期的に識別することと、
前記フェムトノードを識別する情報、および前記追加のフェムト信号の前記追加の信号強度の少なくとも１つを示す前記情報をそれぞれ備える追加のメッセージを、前記追加のフェムト信号を検出することに応じて前記第１の周波数搬送波上で前記基地局に周期的に送信することと
をさらに備え、前記基地局は、前記追加のフェムト信号の前記追加の信号強度の少なくとも１つが閾値を超える場合に、前記第２のメッセージを生成するように構成されている、上記［１］の方法。
［１０］前記第１の周波数搬送波は、少なくとも前記第１の周波数搬送波の帯域幅だけ、前記第２の周波数搬送波から隔てられている、上記［１］の方法。
［１１］前記フェムト信号の前記信号強度を示す前記情報は、信号対雑音比を備えている、上記［１］の方法。
［１２］第１の領域内に無線通信サービスエリアを提供するように構成された基地局と通信するように構成されたトランシーバと、
前記第１の領域より小さい第２の領域内に無線通信サービスエリアを提供するように構成されたフェムトノードによって生成されたフェムト信号を検出し、
前記フェムト信号の信号強度を示す情報を識別するように構成された信号検出器と、
前記フェムトノードを識別する情報、および前記フェムト信号の前記信号強度を示す前記情報を備える第１のメッセージを、前記フェムト信号を検出することに応じて生成するように構成されたメッセージジェネレータと、
第２の搬送波周波数上で通信する命令を示す情報を備える第２のメッセージを、前記基地局から受信するように構成されたハンドオフコントローラと
を備え、前記トランシーバはさらに、第１の周波数搬送波上で前記基地局に前記第１のメッセージを伝達するように構成され、
前記トランシーバはさらに、前記第２のメッセージに応じて第２の周波数搬送波上で前記基地局と通信するように構成されている無線通信装置。
［１３］前記フェムトノードは、インターネットを介して前記基地局と通信するように構成されている、上記［１２］の装置。
［１４］前記信号検出器はさらに、前記基地局によって生成されたマクロ信号を検出し、前記マクロ信号の信号強度を示す情報を識別するように構成されており、
前記トランシーバはさらに、前記マクロ信号の前記信号強度を示す前記情報を備える第３のメッセージを、前記マクロ信号を検出することに応じて前記基地局に送信するように構成されている、上記［１２］の装置。
［１５］前記基地局は、前記マクロ信号の前記信号強度が閾値より小さい場合に、前記第２のメッセージを生成するように構成されている、上記［１４］の装置。
［１６］前記基地局は、前記フェムト信号の前記信号強度が閾値を超える場合に、前記第２のメッセージを生成するように構成されている、上記［１２］の装置。
［１７］前記基地局は、前記基地局が前記第１のメッセージに基づき、前記フェムトノードを識別する場合に、前記第２のメッセージを生成するように構成されている、上記［１２］の装置。
［１８］前記信号検出器はさらに、少なくとも部分的に前記フェムト信号に基づいて、前記フェムトノードの存在を識別するように構成されている、上記［１２］の装置。
［１９］前記フェムト信号は第１の擬似雑音オフセットを備えており、
前記信号検出器はさらに、前記第１の擬似雑音オフセットが、前記フェムトノードおよび／または１つまたは複数の追加のフェムトノードによる使用に割り当てられる擬似雑音オフセットの組に属しているかどうかを判断するように構成されている、上記［１２］の装置。
［２０］前記信号検出器はさらに、前記フェムトノードによって生成される追加のフェムト信号を前記第１のトランシーバによって周期的に検出し、前記追加のフェムト信号の追加の信号強度を示す情報を周期的に識別するように構成されており、
前記トランシーバはさらに、前記フェムトノードを識別する情報、および前記追加のフェムト信号の前記追加の信号強度の少なくとも１つを示す前記情報をそれぞれ備える追加のメッセージを、前記追加のフェムト信号を検出することに応じて前記第１の周波数搬送波上で前記基地局に周期的に送信するように構成されており、
前記基地局は、前記追加のフェムト信号の前記追加の信号強度の少なくとも１つが閾値を超える場合に、前記第２のメッセージを生成するように構成されている、上記［１２］の装置。
［２１］前記第１の周波数搬送波は、少なくとも前記第１の周波数搬送波の帯域幅だけ、前記第２の周波数搬送波から隔てられている、上記［１２］の装置。
［２２］前記フェムト信号の前記信号強度を示す前記情報は、信号対雑音比を備えている、上記［１２］の装置。
［２３］第１の領域内に無線通信サービスエリアを提供するように構成された基地局と通信する手段と、
前記第１の領域より小さい第２の領域内に無線通信サービスエリアを提供するように構成されたフェムトノードによって生成されたフェムト信号を検出する手段と、
前記フェムト信号の信号強度を示す情報を識別する手段と、
前記フェムトノードを識別する情報、および前記フェムト信号の前記信号強度を示す前記情報を備える第１のメッセージを、前記フェムト信号を検出することに応じて生成する手段と、
第１の周波数搬送波上で前記基地局に第１のメッセージを送信する手段と、
第２の搬送波周波数上で通信する命令を示す情報を備える第２のメッセージを前記基地局から受信する手段と
を備え、前記通信手段は、さらに前記第２のメッセージに応じて第２の周波数搬送波上で前記基地局と通信するように構成されている無線通信装置。
［２４］前記フェムトノードは、インターネットを介して前記基地局と通信するように構成されている、上記［２３］の装置。
［２５］前記基地局によって生成されたマクロ信号を前記第１のトランシーバによって検出する手段と、
前記マクロ信号の信号強度を示す情報を識別する手段と、
前記マクロ信号の前記信号強度を示す前記情報を備える第３のメッセージを、前記マクロ信号を検出することに応じて、前記基地局に送信する手段と
をさらに備えた、上記［２３］の装置。
［２６］前記基地局は、前記マクロ信号の前記信号強度が閾値より小さい場合に、前記第２のメッセージを生成するように構成されている、上記［２５］の装置。
［２７］前記基地局は、前記フェムト信号の前記信号強度が閾値を超える場合に、前記第２のメッセージを生成するように構成されている、上記［２３］の装置。
［２８］前記基地局は、前記基地局が前記第１のメッセージに基づいて前記フェムトノードを識別する場合に、前記第２のメッセージを生成するように構成されている、上記［２３］の装置。
［２９］少なくとも部分的に前記フェムト信号に基づいて前記フェムトノードの存在を識別する手段をさらに備えた、上記［２３］の装置。
［３０］前記フェムト信号は第１の擬似雑音オフセットを備えており、前記フェムトノードの前記存在を識別するための前記手段はさらに、前記第１の擬似雑音オフセットが前記フェムトノードおよび／または１つまたは複数の追加のフェムトノードによる使用に割り当てられる１セットの擬似雑音オフセットに属しているかどうかを判断するための手段を備えている、上記［２９］の装置。
［３１］前記フェムトノードによって生成される追加のフェムト信号を前記第１のトランシーバによって周期的に検出する手段と、
前記追加のフェムト信号の追加の信号強度を示す情報を周期的に識別する手段と、
前記フェムトノードを識別する情報、および前記追加のフェムト信号の前記追加の信号強度の少なくとも１つを示す前記情報をそれぞれ備える追加のメッセージを、前記追加のフェムト信号を検出することに応じて前記第１の周波数搬送波上で前記基地局に周期的に送信する手段と
をさらに備え、前記基地局は、前記追加のフェムト信号の前記追加の信号強度の少なくとも１つが閾値を超える場合に、前記第２のメッセージを生成するように構成されている、上記［２３］の装置。
［３２］前記第１の周波数搬送波は、少なくとも前記第１の周波数搬送波の帯域幅だけ、前記第２の周波数搬送波から隔てられている、上記［２３］の装置。
［３３］前記フェムト信号の前記信号強度を示す前記情報は、信号対雑音比を備えている、上記［２３］の装置。
［３４］コンピュータに、第１のトランシーバと、第１の領域内に無線通信サービスエリアを提供するように構成された基地局との間に通信リンクを確立させるためのコードと、
コンピュータに、前記第１のトランシーバとは異なる少なくとも第２のトランシーバに対して、前記第１の領域より小さい第２の領域内の無線通信サービスエリアを提供するように構成された前記フェムトノードによって生成されたフェムト信号を、前記第１のトランシーバによって検出させるためのコードと、
コンピュータに、前記フェムト信号の信号強度を示す情報を識別させるためのコードと、
コンピュータに、前記フェムト信号を検出することに応じて、前記フェムトノードを識別する情報、および第１の周波数搬送波上の前記基地局への前記フェムト信号の前記信号強度を示す前記情報を備える第１のメッセージを送信させるためのコードと、
コンピュータに、前記基地局から第２の搬送波周波数の上で通信する命令を示す情報を備える第２のメッセージを受信させるためのコードと、
コンピュータに、前記第２のメッセージに応じて、第２の周波数搬送波上で前記基地局と通信させるためのコードと
を備えるコンピュータ読み取り可能な媒体を備えたコンピュータプログラム製品。
［３５］前記フェムトノードは、インターネットを介して前記基地局と通信するように構成されている、上記［３４］のコンピュータプログラム製品。
［３６］前記コンピュータ読み取り可能な媒体はさらに、
コンピュータに、前記基地局によって生成されるマクロ信号を前記第１のトランシーバによって検出させるためのコードと、
コンピュータに、前記マクロ信号の信号強度を示す情報を識別させるためのコードと、
コンピュータに、前記マクロ信号の前記信号強度を示す前記情報を備えている第３のメッセージを、前記マクロ信号を検出することに応じて、前記基地局に送信させるためのコードと
をさらに備えている、上記［３４］のコンピュータプログラム製品。
［３７］前記基地局は、前記マクロ信号の前記信号強度が閾値より小さい場合に、前記第２のメッセージを生成するように構成されている、上記［３６］のコンピュータプログラム製品。
［３８］前記基地局は、前記フェムト信号の前記信号強度が閾値を超える場合に、前記第２のメッセージを生成するように構成されている、上記［３４］のコンピュータプログラム製品。
［３９］前記基地局は、前記基地局が前記第１のメッセージに基づき、前記フェムトノードを識別する場合に、前記第２のメッセージを生成するように構成されている、上記［３４］のコンピュータプログラム製品。
［４０］前記コンピュータ読み取り可能な媒体はさらに、コンピュータに、少なくとも部分的に前記フェムト信号に基づいて前記フェムトノードの存在を識別させるためのコードを備えている、上記［３４］のコンピュータプログラム製品。
［４１］前記フェムト信号は第１の擬似雑音オフセットを備えており、
コンピュータに前記フェムトノードの前記存在を識別させるための前記コードは、コンピュータに、前記第１の擬似雑音オフセットが前記フェムトノードおよび／または１つまたは複数の追加のフェムトノードによる使用に割り当てられる擬似雑音オフセットの組に属しているかどうかを判断させるためのコードを備えている、上記［４０］のコンピュータプログラム製品。
［４２］前記コンピュータ読み取り可能な媒体はさらに、
コンピュータに、前記フェムトノードによって生成される追加のフェムト信号を前記第１のトランシーバによって周期的に検出させるためのコードと、
コンピュータに、前記追加のフェムト信号の追加の信号強度を示す情報を周期的に識別させるためのコードと、
コンピュータに、前記フェムトノードを識別する情報、および前記追加のフェムト信号の前記追加の信号強度の少なくとも１つを示す前記情報をそれぞれ備える追加のメッセージを、前記追加のフェムト信号を検出することに応じて前記第１の周波数搬送波上で前記基地局に周期的に送信させるためのコードと
を備え、前記基地局は、前記追加のフェムト信号の前記追加の信号強度の少なくとも１つが閾値を超える場合に、前記第２のメッセージを生成するように構成されている、上記［３４］のコンピュータプログラム製品。
［４３］前記第１の周波数搬送波は、少なくとも前記第１の周波数搬送波の帯域幅だけ、前記第２の周波数搬送波から隔てられている、上記［３４］のコンピュータプログラム製品。
［４４］前記フェムト信号の前記信号強度を示す前記情報は、信号対雑音比を備えている、上記［３４］のコンピュータプログラム製品。
【図１】
0005599789.tif 000002
【図２】
0005599789.tif 000003
【図３】
0005599789.tif 000004
【図４】
0005599789.tif 000005
【図５】
0005599789.tif 000006
【図６】
0005599789.tif 000007
【図７】
0005599789.tif 000008
【図８】
0005599789.tif 000009
【図９】
0005599789.tif 000010
【図１０】
0005599789.tif 000011
【図１１】
0005599789.tif 000012
【図１２】
0005599789.tif 000013